(57)【特許請求の範囲】
【請求項１】
ピクチャが分割された複数のタイルのうち、隣接するタイルのタイル境界に対するフィルタ処理に制限があるか否かを示すタイル制限情報を生成し、当該タイル制限情報をシーケンスパラメータセットに格納する制限情報生成ステップと、
複数のタイル境界の各々に対して、当該タイル境界にフィルタ処理が実行されるか否かを示すフィルタ情報を生成し、複数の当該フィルタ情報を複数のピクチャパラメータセットに格納するフィルタ情報生成ステップとを含み、
前記フィルタ情報生成ステップでは、前記タイル制限情報が前記フィルタ処理に制限があることを示す場合に、同一の内容を示す前記複数のフィルタ情報を生成する
画像符号化方法。
【請求項５】
請求項１記載の画像符号化方法により生成されたストリームを復号する画像復号方法であって、
前記ストリームから前記シーケンスパラメータセットを取得する第１取得ステップと、
前記シーケンスパラメータセットに含まれる前記タイル制限情報を取得する第２取得ステップと、
前記タイル制限情報が前記フィルタ処理に制限があることを示す場合、複数のピクチャに含まれる前記複数のタイル境界の全てに対してフィルタ処理を実行する、又は前記複数のタイル境界の全てに対してフィルタ処理を実行しないと決定する決定ステップとを含む
画像復号方法。
【請求項６】
前記画像復号方法は、前記タイル制限情報が処理に制限があることを示す場合、さらに、
前記ストリームから前記ピクチャパラメータセットを取得する第３取得ステップと、
前記ピクチャパラメータセットに含まれる少なくとも一つの前記フィルタ情報を取得する第４取得ステップとを含み、
前記決定ステップでは、前記タイル制限情報が処理に制限があることを示す場合、前記少なくとも一つのフィルタ情報に基づいて、前記複数のタイル境界に対してフィルタ処理を実行するか否かを決定する
請求項５記載の画像復号方法。
【請求項７】
前記第４取得ステップでは、前記タイル制限情報が処理に制限があることを示す場合、一つの前記フィルタ情報を取得し、
前記決定ステップでは、前記一つのフィルタ情報に基づいて、前記複数のタイル境界の全てに対してフィルタ処理を実行するか否かを決定する
請求項６記載の画像復号方法。
【請求項８】
前記第４取得ステップでは、前記タイル制限情報が処理に制限があることを示す場合、前記一つのフィルタ情報以外のフィルタ情報の取得をスキップする
請求項７記載の画像復号方法。
【請求項９】
ピクチャが分割された複数のタイルのうち、隣接するタイルのタイル境界に対するフィルタ処理に制限があるか否かを示すタイル制限情報を生成し、当該タイル制限情報をシーケンスパラメータセットに格納する制限情報生成部と、
複数のタイル境界の各々に対して、当該タイル境界にフィルタ処理が実行されるか否かを示すフィルタ情報を生成し、複数の当該フィルタ情報を複数のピクチャパラメータセットに格納するフィルタ情報生成部とを備え、
前記フィルタ情報生成部は、前記タイル制限情報が前記フィルタ処理に制限があることを示す場合に、同一の内容を示す前記複数のフィルタ情報を生成する
画像符号化装置。
【請求項１０】
請求項９記載の画像符号化装置により生成されたストリームを復号する画像復号装置であって、
前記ストリームから前記シーケンスパラメータセットを取得する第１取得部と、
前記シーケンスパラメータセットに含まれる前記タイル制限情報を取得する第２取得部と、
前記タイル制限情報が前記フィルタ処理に制限があることを示す場合、複数のピクチャに含まれる前記複数のタイル境界の全てに対してフィルタ処理を実行する、又は、前記複数のタイル境界の全てに対してフィルタ処理を実行しないと決定する決定部とを備える
画像復号装置。
【発明の詳細な説明】
【技術分野】
【０００１】
本発明は、画像符号化方法及び画像復号方法に関する。
【背景技術】
【０００２】
従来の画像符号化方式として、Ｈ．２６ｘと称されるＩＴＵ−Ｔ規格又はＭＰＥＧ−ｘと称されるＩＳＯ／ＩＥＣ規格が知られている（例えば、非特許文献１参照）。【０００３】
さらに新しい規格としてＨＥＶＣ（Ｈｉｇｈ  Ｅｆｆｉｃｉｅｎｃｙ  Ｖｉｄｅｏ  Ｃｏｄｉｎｇ）方式（例えば、非特許文献２参照）が検討されている。
【先行技術文献】
【非特許文献】
【０００４】
【非特許文献１】ＩＳＯ／ＩＥＣ  １４４９６−１０「ＭＰＥＧ−４  Ｐａｒｔ１０  Ａｄｖａｎｃｅｄ  Ｖｉｄｅｏ  Ｃｏｄｉｎｇ」
【非特許文献２】Ｊｏｉｎｔ  Ｃｏｌｌａｂｏｒａｔｉｖｅ  Ｔｅａｍ  ｏｎ  Ｖｉｄｅｏ  Ｃｏｄｉｎｇ  （ＪＣＴ−ＶＣ）  ｏｆ  ＩＴＵ−Ｔ  ＳＧ１６  ＷＰ３  ａｎｄ  ＩＳＯ／ＩＥＣ  ＪＴＣ１／ＳＣ２９／ＷＧ１１  ７ｔｈ  Ｍｅｅｔｉｎｇ：  Ｇｅｎｅｖａ，  ＣＨ，−２１−３０  Ｎｏｖｅｍｂｅｒ，  ２０１１，  ＪＣＴＶＣ−Ｇ１１０３，  “Ｈｉｇｈ  Ｅｆｆｉｃｉｅｎｃｙ  Ｖｉｄｅｏ  Ｃｏｄｉｎｇ  （ＨＥＶＣ）  ｔｅｘｔ  ｓｐｅｃｉｆｉｃａｔｉｏｎ  Ｗｏｒｋｉｎｇ  Ｄｒａｆｔ５”，ｈｔｔｐ：／／ｐｈｅｎｉｘ．ｉｔｓｕｄｐａｒｉｓ．ｅｕ／ｊｃｔ／ｄｏｃ＿ｅｎｄ＿ｕｓｅｒ／ｄｏｃｕｍｅｎｔｓ／７＿Ｇｅｎｅｖａ／ｗｇ１１／ＪＣＴＶＣ−Ｇ１１０３−ｖ２．ｚｉｐ
【発明の概要】
【発明が解決しようとする課題】
【０００５】
このような、画像符号化方法及び画像復号方法では、１枚の画像を複数の領域に分割し、分割された領域を並列処理することが行われている。【０００６】
そこで本発明は、並列処理を容易に実現できる画像符号化方法及び画像復号方法を提供することを目的とする。
【課題を解決するための手段】
【０００７】
上記目的を達成するために、本発明の一態様に係る画像符号化方法は、ピクチャが分割された複数のタイルに対する処理に制限があるか否かを示すタイル制限情報を生成し、当該タイル制限情報を符号化する制限情報生成ステップと、前記タイル制限情報が処理に制限があることを示す場合、複数のタイル境界のうち一つのタイル境界にフィルタ処理が実行されるか否かを示すフィルタ情報に基づき、前記複数のタイル境界に対してフィルタ処理を実行するか否かを決定する決定ステップとを含む。【０００８】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【発明の効果】
【０００９】
本発明は、並列処理を容易に実現できる画像符号化方法及び画像復号方法を提供できる。
【図面の簡単な説明】
【００１０】
【図１】図１は、実施の形態に係るスキャン順の一例を示す図である。
【図２】図２は、実施の形態に係るスキャン順の一例を示す図である。
【図３】図３は、実施の形態に係るタイル及びスライスの分割例を示す図である。
【図４】図４は、実施の形態に係るタイル及びスライスの分割例を示す図である。
【図５】図５は、実施の形態１に係る復号処理のフローチャートである。
【図６】図６は、実施の形態１の比較例に係る判定処理のフローチャートである。
【図７】図７は、実施の形態１に係る判定処理のフローチャートである。
【図８】図８は、実施の形態１に係るスライスヘッダのシンタックスを示す図である。
【図９】図９は、実施の形態１に係るストリームの構成例を示す図である。
【図１０】図１０は、実施の形態１の比較例に係るストリームの構成例を示す図である。
【図１１】図１１は、実施の形態１に係る復号処理のフローチャートである。
【図１２】図１２は、実施の形態１に係る画像復号装置のブロック図である。
【図１３】図１３は、実施の形態２に係る画像符号化装置のブロック図である。
【図１４】図１４は、実施の形態３の比較例に係る復号処理のフローチャートである。
【図１５】図１５は、実施の形態３に係る復号処理のフローチャートである。
【図１６】図１６は、実施の形態３に係るシーケンスパラメータセットのシンタックスを示す図である。
【図１７】図１７は、実施の形態３に係るピクチャパラメータセットのシンタックスを示す図である。
【図１８】図１８は、実施の形態３に係るフラグの一例を示す図である。
【図１９Ａ】図１９Ａは、実施の形態３に係る復号処理のフローチャートである。
【図１９Ｂ】図１９Ｂは、実施の形態３に係る復号処理のフローチャートである。
【図１９Ｃ】図１９Ｃは、実施の形態３に係る復号処理のフローチャートである。
【図１９Ｄ】図１９Ｄは、実施の形態３に係る復号処理のフローチャートである。
【図２０Ａ】図２０Ａは、実施の形態４の比較例に係るスライスヘッダの構成例を示す図である。
【図２０Ｂ】図２０Ｂは、実施の形態４に係るスライスヘッダの構成例を示す図である。
【図２１】図２１は、実施の形態４に係る復号処理のフローチャートである。
【図２２】図２２は、実施の形態５に係るデータ構成を示す概念図である。
【図２３】図２３は、実施の形態５に係る符号化及び復号処理を示すフローチャートである。
【図２４】図２４は、実施の形態６に係る符号化及び復号処理を示すフローチャートである。
【図２５】図２５は、コンテンツ配信サービスを実現するコンテンツ供給システムの全体構成図である。
【図２６】図２６は、デジタル放送用システムの全体構成図である。
【図２７】図２７は、テレビの構成例を示すブロック図である。
【図２８】図２８は、光ディスクである記録メディアに情報の読み書きを行う情報再生／記録部の構成例を示すブロック図である。
【図２９】図２９は、光ディスクである記録メディアの構造例を示す図である。
【図３０Ａ】図３０Ａは、携帯電話の一例を示す図である。
【図３０Ｂ】図３０Ｂは、携帯電話の構成例を示すブロック図である。
【図３１】図３１は、多重化データの構成を示す図である。
【図３２】図３２は、各ストリームが多重化データにおいてどのように多重化されているかを模式的に示す図である。
【図３３】図３３は、ＰＥＳパケット列に、ビデオストリームがどのように格納されるかを更に詳しく示した図である。
【図３４】図３４は、多重化データにおけるＴＳパケットとソースパケットの構造を示す図である。
【図３５】図３５は、ＰＭＴのデータ構成を示す図である。
【図３６】図３６は、多重化データ情報の内部構成を示す図である。
【図３７】図３７は、ストリーム属性情報の内部構成を示す図である。
【図３８】図３８は、映像データを識別するステップを示す図である。
【図３９】図３９は、各実施の形態の動画像符号化方法および動画像復号化方法を実現する集積回路の構成例を示すブロック図である。
【図４０】図４０は、駆動周波数を切り替える構成を示す図である。
【図４１】図４１は、映像データを識別し、駆動周波数を切り替えるステップを示す図である。
【図４２】図４２は、映像データの規格と駆動周波数を対応づけたルックアップテーブルの一例を示す図である。
【図４３Ａ】図４３Ａは、信号処理部のモジュールを共有化する構成の一例を示す図である。
【図４３Ｂ】図４３Ｂは、信号処理部のモジュールを共有化する構成の他の一例を示す図である。
【発明を実施するための形態】
【００１１】
（本発明の基礎となった知見）
本発明者は、従来の技術に関し、以下の問題が生じることを見出した。
【００１２】
Ｈ．２６ｘと称されるＩＴＵ−Ｔ規格又はＭＰＥＧ−ｘと称されるＩＳＯ／ＩＥＣ規格においては、１枚の画像信号は、図１に示すラスタスキャン順で処理される。また、１枚の画像信号は、スライスと呼ばれる複数の単位に分割される。各スライスは、上記のラスタスキャン順で連続する信号を含む。そして、スライス単位で符号化が行われる。
【００１３】
また、ＨＥＶＣ方式においては、タイル方式も考えられている。このタイル方式では、１枚の画像信号は、矩形の複数の単位（タイル）に分割される。そして、その分割された矩形ごとに、当該矩形に含まれる信号がラスタスキャン順に処理される（図２参照）。このタイル方式は、垂直方向に画面を分割することが可能となるため、ラインメモリを削減することができる。
【００１４】
例えば、図３に示す例では、実線で囲われた部分がタイルを示し、点線で囲われた部分が、タイルが分割されることにより得られるスライスを示す。なお、図３は、タイル境界がスライス境界を跨がない例であるが、図４に示すように、スライスの内部をタイル境界が跨ぐこともある。
【００１５】
しかしながら、上記方式では、タイルに分割された領域をそれぞれ並列処理する場合に、並列処理対象の領域の先頭であるタイルの先頭部分を見つけることが難しいという課題があることを本発明者は見出した。
【００１６】
より詳しく説明すると、画像復号装置が復号対象のビットストリームを並列処理（並列復号）可能かどうかを判断するために事前処理が必要である。この事前処理により処理時間が増加することで、高速処理の実現が困難である。または、この事前処理を高速に行うためには回路規模を増大させることが必要という課題がある。
【００１７】
本実施の形態では、並列復号処理が可能は画像復号装置であって、復号対象のビットストリームが並列復号処理可能なストリームかどうか、また、並列復号処理可能である場合には、どの点から別々に並列復号処理が可能となるかを高速に判定することができる画像復号装置について説明する。
【００１８】
本実施の形態の一態様に係る画像符号化方法は、ピクチャが分割された複数のタイルに対する処理に制限があるか否かを示すタイル制限情報を生成し、当該タイル制限情報を符号化する制限情報生成ステップと、前記タイル制限情報が処理に制限があることを示す場合、複数のタイル境界のうち一つのタイル境界にフィルタ処理が実行されるか否かを示すフィルタ情報に基づき、前記複数のタイル境界に対してフィルタ処理を実行するか否かを決定する決定ステップとを含む。
【００１９】
これによれば、タイル境界毎に、フィルタ処理を実行する／しないが切り替わることを抑制できる。これにより、当該画像符号化方法は、並列処理を容易に実現できる。
【００２０】
例えば、前記制限情報生成ステップでは、ピクチャ毎に前記タイル制限情報を生成し、ピクチャ毎の前記タイル制限情報を符号化してもよい。
【００２１】
例えば、前記画像符号化方法は、さらに、前記タイル制限情報が処理に制限があることを示す場合、一つのタイル境界にフィルタ処理が実行されるか否かを示すフィルタ情報を符号化し、前記複数のタイル境界のうち前記一つのタイル境界以外のタイル境界にフィルタ処理が実行されるか否かを示す情報の符号化をスキップする符号化ステップを含んでもよい。
【００２２】
例えば、前記画像符号化方法は、さらに、前記タイル制限情報が処理に制限があることを示す場合、同一の内容を示す前記フィルタ情報を、前記複数のタイル境界の各々に対応付けて符号化する符号化ステップを含んでもよい。
【００２３】
また、本実施の形態の一態様に係る画像復号方法は、ピクチャが分割された複数のタイルに対する処理に制限があるか否かを示すタイル制限情報を復号する制限情報復号ステップと、前記タイル制限情報が処理に制限があることを示す場合、複数のタイル境界のうち一つのタイル境界にフィルタ処理が実行されるか否かを示すフィルタ情報に基づき、前記複数のタイル境界に対してフィルタ処理を実行するか否かを決定する決定ステップとを含む。
【００２４】
これによれば、タイル境界毎に、フィルタ処理を実行する／しないが切り替わることを抑制できる。これにより、当該画像復号方法は、並列処理を容易に実現できる。
【００２５】
例えば、前記制限情報復号ステップでは、ピクチャ毎に設けられている前記タイル制限情報を復号してもよい。
【００２６】
例えば、前記画像復号方法は、さらに、前記タイル制限情報が処理に制限があることを示す場合、一つのタイル境界にフィルタ処理が実行されるか否かを示すフィルタ情報を復号し、前記複数のタイル境界のうち前記一つのタイル境界以外のタイル境界にフィルタ処理が実行されるか否かを示す情報の復号をスキップする復号ステップを含んでもよい。
【００２７】
例えば、前記画像復号方法は、さらに、前記タイル制限情報が処理に制限があることを示す場合、前記複数のタイル境界の各々に対応付けられている同一の内容を示す複数の前記フィルタ情報を復号する復号ステップを含んでもよい。
【００２８】
また、本実施の形態の一態様に係る画像符号化装置は、ピクチャが分割された複数のタイルに対する処理に制限があるか否かを示すタイル制限情報を生成し、当該タイル制限情報を符号化する符号化部と、前記タイル制限情報が処理に制限があることを示す場合、複数のタイル境界のうち一つのタイル境界にフィルタ処理が実行されるか否かを示すフィルタ情報に基づき、前記複数のタイル境界に対してフィルタ処理を実行するか否かを決定する決定部とを備える。
【００２９】
この構成によれば、タイル境界毎に、フィルタ処理を実行する／しないが切り替わることを抑制できる。これにより、当該画像符号化装置は、並列処理を容易に実現できる。
【００３０】
また、本実施の形態の一態様に係る画像復号装置は、ピクチャが分割された複数のタイルに対する処理に制限があるか否かを示すタイル制限情報を復号する復号部と、前記タイル制限情報が処理に制限があることを示す場合、複数のタイル境界のうち一つのタイル境界にフィルタ処理が実行されるか否かを示すフィルタ情報に基づき、前記複数のタイル境界に対してフィルタ処理を実行するか否かを決定する決定部とを備える。
【００３１】
この構成によれば、タイル境界毎に、フィルタ処理を実行する／しないが切り替わることを抑制できる。これにより、当該画像復号装置は、並列処理を容易に実現できる。
【００３２】
また、本実施の形態の一態様に係る画像符号化復号装置は、前記画像符号化装置と、前記画像復号装置とを備える。
【００３３】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【００３４】
以下、実施の形態について、図面を参照しながら説明する。
【００３５】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３６】
（実施の形態１）
本実施の形態では、並列復号処理可能な画像復号装置における並列復号処理について説明する。本実施の形態では、ビットストリームは、画像復号装置が容易に並列処理を可能となる情報を含む。
【００３７】
まず、図３に示す、タイルの先頭に必ずスライスヘッダが配置されている場合の復号処理について説明する。
【００３８】
タイル方式では画面を均等に矩形状（行列状）に分割することができるため、分割後の領域の横方向の幅を小さくできる。これにより、タイル方式は、横方向の幅が大きい画像（例えば、４Ｋ又は８Ｋと呼ばれる解像度の画像）に対して、必要なメモリサイズを少なくできるという利点がある。また、タイル領域内の画素データを均等に分割しやすいため、並列処理を行いやすくなる。このため、タイルの先頭から並列復号を開始することが、効率的に並列復号処理を行うために重要である。
【００３９】
なお、予めエントロピー復号部がスライスヘッダのみを探索し、ヘッダ情報を取得できるように、スライスヘッダの先頭位置を、エントロピー復号部が容易に把握できる構成になっている。このため、この構造に限定することにより、タイルの先頭位置には必ずスライスヘッダが存在する。よって、画像復号装置は、このスライスヘッダを用いて、タイルの開始点、すなわち並列復号処理の開始地点を容易に特定できる。さらに、復号処理に必要な情報がこのスライスヘッダに含まれるため、復号時に予めスライスヘッダの情報をバッファリングする必要もない。
【００４０】
なお、この構成を容易に実現する方法については、実施の形態３で説明する。
【００４１】
図５は、この構成の場合の並列復号処理の流れを示すフローチャートである。まず、画像復号装置は、スライスヘッダを復号する（Ｓ１０１）。次に、画像復号装置は、このスライスがタイルの先頭に位置するか否かを判定する（Ｓ１０２）。例えば、図３に示すスライスヘッダＸの場合、このスライスはタイルの先頭に位置しないので（Ｓ１０２でＮｏ）、画像復号装置は、次のスライスヘッダの復号を行う（Ｓ１０１）。一方、図３に示すスライスヘッダＹの場合、このスライスはタイルの先頭に位置するので（Ｓ１０２でＹｅｓ）、画像復号装置は、この位置から並列復号処理を開始する（Ｓ１０３）。なお、この一連の処理は、１画面に対する処理が終了するまで繰り返し実行される。また、画像復号装置が有する並列復号部の機能が全て使用されている場合には並列復号部が使用可能となるまで、画像復号装置は待機する。それ以外の場合には、スライス内部の復号処理と並行し、次のスライスヘッダの取得が実行される。このように、スライスヘッダの取得により、並列復号処理の開始が設定される。
【００４２】
次に、スライスヘッダがタイルの先頭に位置するか否かを判定する方法について説明する。
【００４３】
まず、図６を用いて本実施の形態の比較例における判定方法を説明する。この判定方法では、まず、画像復号装置は、スライスヘッダに含まれるスライス位置を示す位置情報を取得する（Ｓ２０１）。また、画像復号装置は、どのようにタイルが分割されているかを示すタイル分割情報を予め取得し、メモリに格納している。そして、画像復号装置は、タイル分割情報を用いて次のタイルの先頭位置を取得する（Ｓ２０２）。最後に、画像復号装置は、処理対象のスライス位置（スライスの先頭位置）と、タイルの先頭位置とを比較し、二つの位置が同じである場合には、スライスヘッダがタイル先頭であると判別する。一方、二つの位置が異なる場合には、スライスヘッダがタイル先頭にないと判定する（Ｓ２０３）。
【００４４】
このように、本比較例に係る判定方法では、常に処理中の位置を把握する処理、メモリにアクセスする処理、及び、二つの位置を比較する処理など、並列復号を開始するために多くのステップが必要である。これにより、当該判定方法では、処理時間のロスが発生する。
【００４５】
次に、図７を用いて本実施の形態に係る判定方法を説明する。本実施の形態では、スライスヘッダにこのスライスがタイルの先頭に位置するか否かを示す１ビットのフラグを含む。図７に示すように、画像復号装置は、このフラグを取得し（Ｓ１１１）、このフラグの値の確認する（Ｓ１１２）ことで、スライスがタイルの先頭に位置するか否かを判定できる。このように、本実施の形態に係る画像復号方法は、スライスがタイルの先頭位置に位置するか否かを少ない処理量で判定できる。
【００４６】
図８はスライスヘッダのシンタックスを示す図である。上記の１ビットフラグは、例えば、図８に示すｓｔａｒｔ＿ｔｉｌｅ＿ｉｎ＿ｓｌｉｃｅ＿ｆｌａｇである。ｓｔａｒｔ＿ｔｉｌｅ＿ｉｎ＿ｓｌｉｃｅ＿ｆｌａｇが「１」の場合、そのスライスは、タイルの左上隅の位置（タイルの先頭）から開始される。それ以外の場合（ｓｔａｒｔ＿ｔｉｌｅ＿ｉｎ＿ｓｌｉｃｅ＿ｆｌａｇが「０」の場合）、そのスライスは、タイルの左上隅の位置から開始されない。なお、ここでは、このフラグがスライスヘッダの先頭に配置される例を示すが、このフラグの位置はこれに限らない。ただし、このフラグの位置がスライスヘッダの先頭に近ければ近いほど、並列復号処理を高速に開始することができる。
【００４７】
図９は、この場合のストリームの構成例を示す図である。図１０は、このフラグを用いない場合のストリームの構成例を示す図である。スライスの位置を示す位置情報（又はタイル分割情報）はスライスヘッダの中段に配置される。よって、画像復号装置が、この位置情報を取得するためには、当該画像復号装置は、スライスがタイルの先頭でない場合（スライスの先頭から並列復号処理を行わない場合）には不要な情報を取得してしまう。よって、上記フラグを用いない場合には、冗長な処理が発生する。一方、図９に示すようにスライスヘッダの先頭、又は先頭に近い部分に１ビットのフラグが配置されることで、画像復号装置は、すぐに並列復号処理を開始することができる。
【００４８】
次に、図４に示すようにタイルの先頭にスライスヘッダが位置しない場合について説明する。タイル方式では、画面を均等に矩形状に分割することができるため、前述のように、タイルの先頭から並列復号処理を開始することが、効率的に並列復号処理を行うために重要となる。
【００４９】
この構成では、タイルの先頭に必ずしもスライスの先頭があるわけではないため、タイルの先頭位置と、タイルの復号処理を開始するために必要なスライスヘッダの情報とを取得する必要がある。このため、図３の場合と同様にスライスヘッダをスキャンしていく必要がある。
【００５０】
この処理の流れを、図１１を用いて説明する。まず、画像復号装置は、スライスヘッダを復号する（Ｓ１２１）。ここで、例えば図４に示すスライスヘッダＡの場合、スライスヘッダの先頭位置とタイルの先頭位置とが一致するため（Ｓ１２２でＹｅｓ）、画像復号装置は、このタイルに対する並列復号処理を開始する（Ｓ１２３）。
【００５１】
一方、図４に示すスライスヘッダＢの場合、スライスヘッダの先頭位置とタイルの先頭位置とが一致しないため（Ｓ１２２でＮｏ）、処理はステップＳ１２４に進む。
【００５２】
次に、画像復号装置は、タイルまでの位置情報が含まれているかどうかを確認する（Ｓ１２４）。この位置情報は、１つのスライスに複数のタイルが含まれる場合における、当該タイルから次のタイルまでの距離を示す。位置情報がある場合（Ｓ１２４でＹｅｓ）、画像復号装置は、その位置情報を復号し（Ｓ１２５）、復号して得られる位置情報に従い、次のタイルまでファイルシーク（探索）を行い、並列復号処理を行う（Ｓ１２６）。一方、位置情報がない場合（Ｓ１２４でＮｏ）、画像復号装置は、次のスライスのヘッダを復号する（Ｓ１２１）。なお、この一連の処理は、１画面に対する処理が終了するまで繰り返し実行される。また、画像復号装置が有する並列復号部の機能が全て使用されている場合には並列復号部が使用可能となるまで、画像復号装置は待機する。
【００５３】
このように、必ずしもタイルの先頭にスライスヘッダが位置しない場合には、必ずタイルの先頭にスライスヘッダが位置する場合に比べて、複雑な処理が必要である。この場合であっても、前述した図８に示すｓｔａｒｔ＿ｔｉｌｅ＿ｉｎ＿ｓｌｉｃｅ＿ｆｌａｇをスライスの先頭に配置することで、この複雑な処理の処理量を低減できる。これにより、より高速な復号処理を実現することができる。
【００５４】
なお、本実施の形態に係る並列復号処理は、圧縮符号化された符号化画像データを復号する画像復号装置によって行われる。図１２は、本実施の形態に係る画像復号装置４００の構成の一例を示すブロック図である。なお、図５、図７又は図１１に示す並列復号処理は、エントロピー復号部４１０によって行われる。
【００５５】
画像復号装置４００は、圧縮符号化された符号化画像データ（入力信号）を復号することで復号信号を生成する。例えば、画像復号装置４００には、符号化画像データがブロック毎に入力信号として入力される。画像復号装置４００は、入力信号に、可変長復号、逆量子化及び逆変換を行うことで、画像データを復元する。
【００５６】
図１２に示すように、画像復号装置４００は、エントロピー復号部４１０と、逆量子化・逆変換部４２０と、加算器４２５と、デブロッキングフィルタ４３０と、メモリ４４０と、イントラ予測部４５０と、動き補償部４６０と、イントラ／インター切換スイッチ４７０とを備える。
【００５７】
エントロピー復号部４１０は、入力信号（入力ストリーム）を可変長復号することで、量子化係数を復元する。なお、ここで、入力信号（入力ストリーム）は、復号対象信号であり、符号化画像データのブロック毎のデータに相当する。また、エントロピー復号部４１０は、入力信号から動きデータを取得し、取得した動きデータを動き補償部４６０に出力する。
【００５８】
逆量子化・逆変換部４２０は、エントロピー復号部４１０によって復元された量子化係数を逆量子化することで、変換係数を復元する。そして、逆量子化・逆変換部４２０は、復元した変換係数を逆変換することで、予測誤差を復元する。
【００５９】
加算器４２５は、復元された予測誤差と予測信号とを加算することで、復号画像を生成する。
【００６０】
デブロッキングフィルタ４３０は、生成された復号画像にデブロッキングフィルタ処理を行う。デブロッキングフィルタ処理された復号画像は、復号信号として出力される。
【００６１】
メモリ４４０は、動き補償に用いられる参照画像を格納するためのメモリである。具体的には、メモリ４４０は、デブロッキングフィルタ処理が施された復号画像を格納する。
【００６２】
イントラ予測部４５０は、イントラ予測を行うことで、予測信号（イントラ予測信号）を生成する。具体的には、イントラ予測部４５０は、加算器４２５によって生成された復号画像における、復号対象ブロック（入力信号）の周囲の画像を参照してイントラ予測を行うことで、イントラ予測信号を生成する。
【００６３】
動き補償部４６０は、エントロピー復号部４１０から出力された動きデータに基づいて動き補償を行うことで、予測信号（インター予測信号）を生成する。
【００６４】
イントラ／インター切換スイッチ４７０は、イントラ予測信号及びインター予測信号のいずれかを選択し、選択した信号を予測信号として加算器４２５に出力する。
【００６５】
以上の構成により、本実施の形態に係る画像復号装置４００は、圧縮符号化された符号化画像データを復号する。
【００６６】
以上のように、本実施の形態に係る画像復号装置及び画像復号方法は、画像復号装置の構成に応じたビットストリームの処理開始点を容易に判定できる。すなわち、当該画像復号装置及び画像復号方法は、スライスヘッダでパース（解析）した位置がタイルの先頭かどうかを容易に判定できる。これにより、画像復号装置の高速化を実現できる。
【００６７】
また、これらの構成により、処理時間の推定を容易にすることができる。これにより、例えば高解像度の映像のリアルタイム再生処理などに用いられる高速演算回路によって画像復号装置を実現することができる。
【００６８】
（実施の形態２）
本実施の形態では、並列復号を容易に実行可能とする符号列を符号化により生成して伝送する画像符号化方法及び画像符号化装置について説明する。当該画像符号化装置は、スライスヘッダの位置がタイルの先頭かどうかを示す情報を画像復号装置に伝送する。これにより、と該画像符号化装置は、復号処理の並列度を上げることができるビットストリームを生成できる。
【００６９】
本実施の形態に係る画像符号化装置は、スライスヘッダを符号化する際に、スライスヘッダの位置がタイルの先頭位置かどうかを判定する。スライスヘッダの位置がタイルの先頭の場合、例えば、図８に示すｓｔａｒｔ＿ｔｉｌｅ＿ｉｎ＿ｓｌｉｃｅ＿ｆｌａｇをスライスヘッダに記載する。
【００７０】
このようにすることで、当該画像符号化装置は、実施の形態１で示した並列復号可能な画像復号装置で、容易に並列復号を開始できる符号列を生成できる。
【００７１】
図１３は、本実施の形態に係る画像符号化装置の構成例を示すブロック図である。図１３に示す画像符号化装置２００は、減算器２０５と、変換・量子化部２１０と、エントロピー符号化部２２０と、逆量子化・逆変換部２３０と、加算器２３５と、デブロッキングフィルタ２４０と、メモリ２５０と、イントラ予測部２６０と、動き検出部２７０と、動き補償部２８０と、イントラ／インター切換スイッチ２９０とを備える。
【００７２】
減算器２０５は、入力信号と予測信号との差分、すなわち、予測誤差を算出する。
【００７３】
変換・量子化部２１０は、空間領域の予測誤差を変換することで、周波数領域の変換係数を生成する。例えば、変換・量子化部２１０は、予測誤差にＤＣＴ（Ｄｉｓｃｒｅｔｅ  Ｃｏｓｉｎｅ  Ｔｒａｎｓｆｏｒｍ）変換を行うことで、変換係数を生成する。さらに、変換・量子化部２１０は、変換係数を量子化することで、量子化係数を生成する。
【００７４】
エントロピー符号化部２２０は、量子化係数を可変長符号化することで、符号化信号を生成する。また、エントロピー符号化部２２０は、動き検出部２７０によって検出された動きデータ（例えば、動きベクトル）を符号化し、符号化信号に含めて出力する。
【００７５】
逆量子化・逆変換部２３０は、量子化係数を逆量子化することで、変換係数を復元する。さらに、逆量子化・逆変換部２３０は、復元した変換係数を逆変換することで、予測誤差を復元する。なお、復元された予測誤差は、量子化により情報が失われているので、減算器２０５が生成する予測誤差とは一致しない。すなわち、復元された予測誤差は、量子化誤差を含んでいる。
【００７６】
加算器２３５は、復元された予測誤差と予測信号とを加算することで、ローカル復号画像を生成する。
【００７７】
デブロッキングフィルタ２４０は、生成されたローカル復号画像にデブロッキングフィルタ処理を行う。
【００７８】
メモリ２５０は、動き補償に用いられる参照画像を格納するためのメモリである。具体的には、メモリ２５０は、デブロッキングフィルタ処理が施されたローカル復号画像を格納する。
【００７９】
イントラ予測部２６０は、イントラ予測を行うことで、予測信号（イントラ予測信号）を生成する。具体的には、イントラ予測部２６０は、加算器２３５によって生成されたローカル復号画像における、符号化対象ブロック（入力信号）の周囲の画像を参照してイントラ予測を行うことで、イントラ予測信号を生成する。
【００８０】
動き検出部２７０は、入力信号と、メモリ２５０に格納された参照画像との間の動きデータ（例えば、動きベクトル）を検出する。
【００８１】
動き補償部２８０は、検出された動きデータに基づいて動き補償を行うことで、予測信号（インター予測信号）を生成する。
【００８２】
イントラ／インター切換スイッチ２９０は、イントラ予測信号及びインター予測信号のいずれかを選択し、選択した信号を予測信号として減算器２０５及び加算器２３５に出力する。
【００８３】
以上の構成により、本実施の形態に係る画像符号化装置２００は、画像データを圧縮符号化する。
【００８４】
なお、スライスヘッダがタイルの先頭かどうかを判別する処理、及び上記フラグの符号化処理は、エントロピー符号化部２２０で行われる。
【００８５】
以上のように、本実施の形態に係る画像符号化装置及び画像符号化方法は、復号処理順に関連する情報を画像復号装置に伝送する。これにより、当該画像符号化装置及び画像符号化方法は、画像復号装置において高速に処理することが可能となる符号化信号（ビットストリーム）を生成することができる。
【００８６】
（実施の形態３）
本実施の形態では、前述の図３に示すように、タイルの先頭は必ずスライスヘッダである場合において並列処理を容易にすることを可能とする符号列の構成について説明する。
【００８７】
まず、本実施の形態の比較例の処理を、図１４を用いて説明する。まず、画像復号装置は、ＳＰＳ（シーケンスパラメータセット）を取得する（Ｓ２３１）。次に、画像復号装置は、ＳＰＳに含まれる並列処理を容易にするためのフラグＡを復号する（Ｓ２３２）。次に、画像復号装置は、ＰＰＳ（ピクチャパラメータセット）に含まれる並列処理を容易にするためのフラグＢを復号する（Ｓ２３３）。また、画像復号装置は、ＰＰＳに含まれる並列処理を容易にするためのフラグＣを復号する（Ｓ２３４）。
【００８８】
これらのフラグＡ〜Ｃは、全て並列処理を容易にするためのパラメータである。次に画像復号装置は、これらのパラメータが、当該画像復号装置が有する並列処理要件に合致しているか（ｃｏｎｓｔｒａｉｎｔ＿ｔｉｌｅセットとも呼ぶ）を判定する（Ｓ２３５）。言い換えると、画像復号装置は、処理対象のストリームを並列復号処理する機能を、当該画像復号装置が有しているかを、これらのパラメータを用いて判定する。これらのパラメータが、当該画像復号装置が有する並列処理要件に合致している場合（Ｓ２３５でＹｅｓ）、画像復号装置は、処理対象のストリームが並列復号可能であると判断し、当該ストリームを並列復号処理する（Ｓ２３６）。ここで、並列復号処理とは、具体的には実施の形態１で示した処理である。
【００８９】
一方、これらのパラメータが、当該画像復号装置が有する並列処理要件に合致していない場合（Ｓ２３５でＮｏ）、画像符号化装置は、並列復号処理ではなく、通常の復号処理を行う（Ｓ２３７）。
【００９０】
しかし、これでは、並列復号可能かどうかを判定するために必要なフラグが多い。また、対応する並列復号可能なパラメータ関係を管理することは困難である。そこで、本実施の形態では、ｃｏｎｓｔｒａｉｎｔ＿ｔｉｌｅ＿ｆｌａｇという並列復号に必要な要件を示すフラグをＳＰＳに加える。
【００９１】
図１５は、本実施の形態に係る画像復号処理のフローチャートである。
【００９２】
図１５に示すように、画像復号装置は、ＳＰＳを取得し、ＳＰＳに含まれる上記フラグを復号する（Ｓ１３１）。このフラグが並列復号可能を示す場合（Ｓ１３２でＹｅｓ）、画像復号装置は、予め決められた並列復号処理を容易にするパラメータセットをセットし（Ｓ１３３）、並列復号処理を実行する（Ｓ１３４）。
【００９３】
一方、上記フラグが並列復号不可を示す場合（Ｓ１３２でＮｏ）、画像復号装置は、図１４と同様にパラメータ（フラグＡ〜Ｃ）を取得し（Ｓ１３５〜Ｓ１３７）、取得したパラメータを用いて判定を行う（Ｓ１３８）。なお、この判定において、ストリームが画像復号装置に適合する場合にのみ並列復号可能と判断される。そして、図１４と同様に、判定結果に応じて、並列復号処理（Ｓ１３４）又は通常復号処理（Ｓ１３９）が実行される。
【００９４】
なお、並列復号可能を示すフラグの代わりに、０、１、２、３といった形で並列度合いのレベルを示すインデックスを用いてもよい。この場合、ステップＳ１３２では、当該インデックスで示される値が、画像復号装置に対応する並列度合いと一致しないことを表す場合にステップＳ１３３に進み、そうでない場合にステップＳ１３５に進む。
【００９５】
フラグＡ、Ｂ及びＣの具体例を、図１６、図１７及び図１８に示す。なお、特に説明をしない場合のパラメータの意味は非特許文献２に記載の通りである。
【００９６】
ここで、ｌｏｏｐ＿ｆｉｌｔｅｒ＿ａｃｒｏｓｓ＿ｔｉｌｅ＿ｆｌａｇ、ｌｏｏｐ＿ｆｉｌｔｅｒ＿ａｃｒｏｓｓ＿ｓｌｉｃｅ＿ｆｌａｇ、及びｔｉｌｅ＿ｂｏｕｎｄａｒｙ＿ｉｎｄｅｐｅｎｄｅｎｃｅ＿ｆｌａｇは、タイル又はスライス境界にフィルタをかけるか、かけないかを示す。フィルタをかける場合には、前の復号画像をメモリに蓄えておく必要があり、高速な並列処理には不向きである。また、タイルの境界毎にフィルタを実行するか否かを同じピクチャ内で切り替えるとなると、さらに並列処理は困難になる。
【００９７】
また、タイル同士の依存関係をもたせないことで、さらに並列処理を容易にする。なお、タイルの先頭にスライスヘッダを置くことで、算術符号化処理の状態もリセットすることができるので、本構成により、高速な並列復号を実現できる。
【００９８】
この場合の処理例を、図１９Ａに示す。ＳＰＳにｃｏｎｓｔｒａｉｎｔ＿ｔｉｌｅ＿ｆｌａｇがある場合（Ｓ１４１でＹｅｓ）、画像復号装置（又は画像符号化装置）は、ｔｉｌｅ＿ｂｏｕｎｄａｒｙ＿ｉｎｄｅｐｅｎｄｅｎｃｅ＿ｆｌａｇ、ｌｏｏｐ＿ｆｉｌｔｅｒ＿ａｃｒｏｓｓ＿ｔｉｌｅ＿ｆｌａｇ、ｌｏｏｐ＿ｆｉｌｔｅｒ＿ａｃｒｏｓｓ＿ｓｌｉｃｅ＿ｆｌａｇの復号処理（又は符号化処理）をスキップする（Ｓ１４２）。一方、ＳＰＳにｃｏｎｓｔｒａｉｎｔ＿ｔｉｌｅ＿ｆｌａｇがない場合（Ｓ１４１でＮｏ）、画像復号装置（又は画像符号化装置）は、ｔｉｌｅ＿ｂｏｕｎｄａｒｙ＿ｉｎｄｅｐｅｎｄｅｎｃｅ＿ｆｌａｇ、ｌｏｏｐ＿ｆｉｌｔｅｒ＿ａｃｒｏｓｓ＿ｔｉｌｅ＿ｆｌａｇ、ｌｏｏｐ＿ｆｉｌｔｅｒ＿ａｃｒｏｓｓ＿ｓｌｉｃｅ＿ｆｌａｇのパラメータの復号処理（又は符号化処理）を行う（Ｓ１４３）。
【００９９】
ここで、ｔｉｌｅ＿ｂｏｕｎｄａｒｙ＿ｉｎｄｅｐｅｎｄｅｎｃｅ＿ｆｌａｇは、タイル境界を越えた情報の参照を禁止するか否かを示す情報である。ｌｏｏｐ＿ｆｉｌｔｅｒ＿ａｃｒｏｓｓ＿ｔｉｌｅ＿ｆｌａｇは、タイル境界にフィルタ処理が実行されるか否かを示す情報である。ｌｏｏｐ＿ｆｉｌｔｅｒ＿ａｃｒｏｓｓ＿ｓｌｉｃｅ＿ｆｌａｇは、スライス境界にフィルタ処理を実行するか否かを示す情報である。
【０１００】
これにより、不要な符号を符号化、又は復号する必要がなくなるため、符号量を削減することができる。
【０１０１】
以上のように、本実施の形態に係る画像符号化装置は、ピクチャが分割された複数のタイルに対する符号化処理又は復号処理に制限があるか否かを示すタイル制限情報（ｃｏｎｓｔｒａｉｎｔ＿ｔｉｌｅ＿ｆｌａｇ）を生成し、当該タイル制限情報を符号化する。また、当該画像符号化装置は、タイル制限情報が符号化処理又は復号処理に制限があることを示す場合、複数のタイル境界にフィルタ処理が実行されるか否かを示すフィルタ情報（ｌｏｏｐ＿ｆｉｌｔｅｒ＿ａｃｒｏｓｓ＿ｔｉｌｅ＿ｆｌａｇ）の符号化処理又は復号処理をスキップする。
【０１０２】
ここで、フィルタ情報の符号化処理又は復号処理がスキップされた場合、画像符号化装置及び画像復号装置において、複数のタイル境界の各々に対してフィルタ処理を実行する／しないが切り替えられない。つまり、複数のタイル境界において同一の処理（フィルタ処理を実行する／しない）が用いられる。このように、タイル境界毎の処理の切り替えを禁止することにより、処理量を低減できる。
【０１０３】
この場合の画像符号化装置又は画像復号装置の動作を図１９Ｂに示す。図１９Ｂに示すように、本実施の形態に係る画像符号化装置は、ピクチャが分割された複数のタイルに対する処理に制限があるか否かを示すタイル制限情報を生成し、当該タイル制限情報を符号化する（Ｓ１４０Ａ）。タイル制限情報が処理に制限があることを示す場合（Ｓ１４１ＡでＹｅｓ）、画像符号化装置は、複数のタイル境界に同一の処理（フィルタ処理を実行する／しない）を行う（Ｓ１４２Ａ）。一方、タイル制限情報が処理に制限がないことを示す場合（Ｓ１４１ＡでＮｏ）、画像符号化装置は、複数のタイル境界に同一又は異なる処理（フィルタ処理を実行する／しない）を行う（Ｓ１４３Ａ）。
【０１０４】
また、画像復号装置は、ピクチャが分割された複数のタイルに対する処理に制限があるか否かを示すタイル制限情報を復号する（Ｓ１４０Ａ）。タイル制限情報が処理に制限があることを示す場合（Ｓ１４１ＡでＹｅｓ）、画像復号装置は、複数のタイル境界に同一の処理（フィルタ処理を実行する／しない）を行う（Ｓ１４２Ａ）。一方、タイル制限情報が処理に制限がないことを示す場合（Ｓ１４１ＡでＮｏ）、画像復号装置は、複数のタイル境界に同一又は異なる処理（フィルタ処理を実行する／しない）を行う（Ｓ１４３Ａ）。
【０１０５】
なお、このように複数のタイル境界に対して同一の処理を行うために、画像符号化装置又は、画像復号装置は、複数のタイル境界に対する複数のフィルタ情報の全ての符号化処理又は復号処理をスキップするのではなく、ある一つのタイル境界に対する一つのフィルタ情報のみを符号化又は復号してもよい。つまり、この場合、画像符号化装置又は画像復号装置は、この一つのフィルタ情報に基づき、複数のタイル境界にフィルタ処理を実行するか否かを決定する。具体的には、画像符号化装置又は画像復号装置は、この一つのフィルタ情報がタイル境界にフィルタ処理が実行されることを示す場合、複数のタイル境界の全てにフィルタ処理を実行する。一方、画像符号化装置又は画像復号装置は、この一つのフィルタ情報がタイル境界にフィルタ処理が実行されないことを示す場合、複数のタイル境界の全てにフィルタ処理を実行しない。
【０１０６】
この場合の画像符号化装置又は画像復号装置の動作を図１９Ｃに示す。図１９Ｃに示すように、タイル制限情報が処理に制限があることを示す場合（Ｓ１４１ＡでＹｅｓ）、画像符号化装置又は画像復号装置は、複数のタイル境界のうち一つのタイル境界にフィルタ処理が実行されるか否かを示すフィルタ情報に基づき、複数のタイル境界に対してフィルタ処理を実行するか否かを決定する（Ｓ１４２Ｂ）。また、タイル制限情報が処理に制限がないことを示す場合（Ｓ１４１ＡでＮｏ）、画像符号化装置又は画像復号装置は、複数のタイル境界にフィルタ処理が実行されるか否かを示す複数のフィルタ情報に基づき、複数のタイル境界に対してフィルタ処理を実行するか否かを決定する（Ｓ１４３Ｂ）。
【０１０７】
つまり、画像符号化装置は、タイル制限情報が処理に制限があることを示す場合、一つのタイル境界にフィルタ処理が実行されるか否かを示すフィルタ情報を符号化し、複数のタイル境界のうち上記一つのタイル境界以外のタイル境界にフィルタ処理が実行されるか否かを示す情報の符号化をスキップする。また、画像復号装置は、タイル制限情報が処理に制限があることを示す場合、一つのタイル境界にフィルタ処理が実行されるか否かを示すフィルタ情報を復号し、複数のタイル境界のうち上記一つのタイル境界以外のタイル境界にフィルタ処理が実行されるか否かを示す情報の復号をスキップする。
【０１０８】
または、複数のフィルタ情報の全てが同一の値に設定されてもよい。つまり、画像符号化装置は、タイル制限情報が処理の制限があることを示す場合、同一の内容（フィルタ処理が行われる／行われない）を示すフィルタ情報を、複数のフィルタ境界の各々に対応付けて符号化してもよい。
【０１０９】
この場合の画像符号化装置又は画像復号装置の動作を図１９Ｄに示す。図１９Ｄに示すように、タイル制限情報が処理に制限があることを示す場合（Ｓ１４１ＡでＹｅｓ）、画像符号化装置は、同一の内容を示すフィルタ情報を、複数のタイル境界の各々に対応付けて符号化する（Ｓ１４２Ｃ）。一方、タイル制限情報が処理に制限がないことを示す場合（Ｓ１４１ＡでＮｏ）、画像符号化装置は、同一又は異なる内容を示すフィルタ情報を、複数のタイル境界の各々に対応付けて符号化する（Ｓ１４３Ｃ）。
【０１１０】
また、画像復号装置は、タイル制限情報が処理に制限があることを示す場合（Ｓ１４１ＡでＹｅｓ）、複数のタイル境界の各々に対応付けられている同一の内容を示す複数のフィルタ情報を復号する（Ｓ１４２Ｃ）。一方、タイル制限情報が処理に制限がないことを示す場合（Ｓ１４１ＡでＮｏ）、画像復号装置は、複数のタイル境界の各々に対応付けられている同一又は異なる内容を示す複数のフィルタ情報を復号する（Ｓ１４３Ｃ）。
【０１１１】
なお、タイル制限情報は、ピクチャ毎に設けられてもよい。つまり、画像符号化装置は、ピクチャ毎にタイル制限情報を生成し、ピクチャ毎のタイル制限情報を符号化する。また、画像復号装置は、ピクチャ毎に設けられているタイル制限情報を復号する。
【０１１２】
また、上記処理は、画像符号化装置が備える符号化部及び決定部、又は画像復号装置が備える復号部及び決定部により行われる。例えば、この符号化部及び決定部は、図１３に示すエントロピー符号化部２２０に含まれる。また、復号部及び決定部は、図１２に示すエントロピー復号部４１０に含まれる。
【０１１３】
（実施の形態４）
本実施の形態では、ｓｔａｒｔ＿ｔｉｌｅ＿ｉｎ＿ｓｌｉｃｅ＿ｆｌａｇをスライスヘッダに記載する場合に情報量を削減する構成についてさらに詳しく説明する。
【０１１４】
図２０Ａは、本実施の形態の比較例におけるスライスヘッダの構成例を示す図である。これに対して、図２０Ｂは、本実施の形態におけるスライスヘッダの構成例を示す図である。また、図２１は、本実施の形態に係る動作の流れを示すフローチャートである。
【０１１５】
まず、画像符号化装置（又は画像復号装置）は、処理対象のスライスが最初のスライスであるかどうかを示すフラグ（図２０Ｂのｆｉｒｓｔ＿ｓｌｉｃｅ＿ｉｎ＿ｐｉｃ＿ｆｌａｇ）を符号化（又は復号）する（Ｓ１５１）。次に、このフラグが０ではない場合（ｆｉｒｓｔ＿ｓｌｉｃｅ＿ｉｎ＿ｐｉｃ＿ｆｌａｇ！＝０）、すなわち、処理対象のスライスが最初のスライスである場合（Ｓ１５２でＹｅｓ）、画像符号化装置（又は画像復号装置）は、以降のスライスの位置情報又はタイルの初期位置情報などの符号化処理（又は復号処理）をスキップする（Ｓ１５３）。
【０１１６】
一方、このフラグが０の場合（ｆｉｒｓｔ＿ｓｌｉｃｅ＿ｉｎ＿ｐｉｃ＿ｆｌａｇ＝０）すなわち、処理対象のスライスが最初のスライスではない場合（Ｓ１５２でＮｏ）、画像符号化装置（又は画像復号装置）は、処理対象のスライスがタイルの先頭であるかどうかを示す情報（ｓｔａｒｔ＿ｔｉｌｅ＿ｉｎ＿ｓｌｉｃｅ＿ｆｌａｇ）を符号化（又は復号）する（Ｓ１５４）。
【０１１７】
次に、このフラグが１の場合（ｓｔａｒｔ＿ｔｉｌｅ＿ｉｎ＿ｓｌｉｃｅ＿ｆｌａｇ＝１）、すなわち、処理対象スライスがタイルの先頭である場合（Ｓ１５５でＹｅｓ）、画像符号化装置（又は画像復号装置）は、処理対象のタイルが何番目のタイルかを示す情報（ｔｉｌｅ＿ｉｄｘ＿ｍｉｎｕｓ１）を符号化（又は復号）する（Ｓ１５６）。
【０１１８】
一方、このフラグが０の場合（ｓｔａｒｔ＿ｔｉｌｅ＿ｉｎ＿ｓｌｉｃｅ＿ｆｌａｇ＝０）、すなわち、処理対象のスライスがタイルの先頭ではない場合（Ｓ１５５でＮｏ）、画像符号化装置（又は画像復号装置）は、このスライスの位置がわからないため、スライスの位置情報（ｓｌｉｃｅ＿ａｄｄｒｅｓｓ）を符号化（又は復号）する（Ｓ１５７）。このようにすることにより、画像符号化装置（又は画像復号装置）は、冗長な情報を伝送することなく、効率的な符号化処理（又は復号処理）を行うことができるので、並列度を挙げつつ圧縮率を上げることができる。また、画像復号装置は、このストリームを正しく復号することができる。
【０１１９】
なお、タイルの分割に関する情報は、例えばストリーム全体の情報を管理するシーケンスパラメータセットと呼ばれる部分に配置される。また、この情報は、例えば、フレームを分割する垂直方向の数及び水平方向の数を示してもよい。または、この情報は、フレームをいくつの処理単位に分割するかを示してもよい。ただし、分割された各タイルは、予め決められたスキャン順（例えばラスタ順）によって処理されることを符号化及び復号側で決めておく。このため、処理対象のスライスがタイルの先頭である場合、処理対象のタイルが何番目のタイルかを知ることにより、処理対象のスライスのフレーム内での空間的な位置情報を知ることができる。これにより、スライスのアドレス情報を削減することができる。
【０１２０】
また、処理対象スライスがピクチャの先頭である場合には、必ずタイルの番号は１番であり、スライスのアドレスも（０、０）であるため、これらの情報は符号化しなくてよい。このようにすることにより、情報量を削減することができる。
【０１２１】
（実施の形態５）
本実施の形態では、タイルの順番の情報（ｔｉｌｅ＿ｉｄｘ＿ｍｉｎｕｓ１）を保持するタイルヘッダをタイルの開始を示す情報として用いる。
【０１２２】
図２２は、本実施の形態におけるデータ構造を示す概念図である。図２２に示すようにタイルの開始を示す情報であるタイルヘッダが常にスライスヘッダの直前に配置される。図２３はこの場合の画像符号化装置（又は画像復号装置）の動作の流れを示すフローチャートである。
【０１２３】
まず、画像符号化装置（又は画像復号装置）は、タイルヘッダ（ｔｉｌｅ＿ｈｅａｄｅｒ（））を符号化（又は復号）する（Ｓ１６１）。これにより、画像符号化装置（又は画像復号装置）は、タイルの先頭位置の情報を、前述のシーケンスパラメータセットから取得し、フレーム内でのタイルの位置を確定する。
【０１２４】
次に、画像符号化装置（又は画像復号装置）は、このタイルに関連するスライスヘッダ（ｓｌｉｃｅ＿ｈｅａｄｅｒ（））を符号化又は復号する（Ｓ１６２）。これにより、タイルの復号に必要な情報がスライスヘッダに含まれるため、画像復号装置はどのように本タイルの復号をすればよいかを即座に判断することができる。よって、画像復号装置は、高速に並列処理を実施できる。なお、このようにｔｉｌｅ＿ｈｅａｄｅｒ（）がｓｌｉｃｅ＿ｈｅａｄｅｒ（）の直前に配置される場合には、例えば、スライスヘッダのスタートコードを省略することができる。
【０１２５】
一般には、ｔｉｌｅ＿ｈｅａｄｅｒ（）とｓｌｉｃｅ＿ｈｅａｄｅｒ（）とは異なるヘッダのため、異なるスタートコードが割り当てられている。一方、本実施の形態のように、タイルヘッダの直後に常にスライスヘッダが配置される場合には、スライスヘッダのスタートコードを省略することができる。一般にスタートコードは固定長の特殊なコードが用いられるため、このスタートコードを省略することにより大幅に冗長な符号を削減することができる。また、ヘッダのロードにスタートコードをサーチする場合であっても、この余分なサーチが必要なくなる。よって、処理を高速化することができる。
【０１２６】
（実施の形態６）
本実施の形態では、さらにｐｒｏｆｉｌｅ＿ｉｄｃにより、パラメータの符号化及び復号を変更する場合を説明する。ｐｒｏｆｉｌｅ＿ｉｄｃは、ストリームを符号化又は復号する場合の構成を示すプロファイル情報である。
【０１２７】
図２４はこの場合の動作の流れを示すフローチャートである。例えば、このプロファイル情報が制限タイルを用いることを示す場合（Ｓ１７１でＹｅｓ）、画像符号化装置（又は画像復号装置）は、処理対象のタイルが制限タイルの場合に用いる制限に関する情報（関連パラメータ）の符号化（又は復号）をスキップし、当該制限を行うようにパラメータをセットする（Ｓ１７２）。ここで、制限とは、境界でのフィルタ処理を行わない、及びタイル内の符号化（又は復号）には、別タイルの情報は参照しない等である。
【０１２８】
プロファイル情報が制限タイルを用いることを示さない場合（Ｓ１７１でＮｏ）、画像符号化装置（又は画像復号装置）は、どの情報を制限するかを示す情報（関連パラメータ）を符号化（又は復号）する（Ｓ１７３）。
【０１２９】
なお、画像符号化装置（又は画像復号装置）は、例えば、あるプロファイル情報で、タイルを用いないことが示される場合には、全てのシーケンスパラメータセット、ピクチャパラメータセット、及びスライスヘッダ等のヘッダにおける、タイルに関連する情報の符号化処理（又は復号処理）をスキップする。これにより、冗長な情報の符号化処理又は復号処理を削減することができるので、高速な処理と高い圧縮性能とを実現することができる。
【０１３０】
以上、実施の形態に係る画像符号化装置に及び画像復号装置ついて説明したが、本発明は、この実施の形態に限定されるものではない。
【０１３１】
また、上記実施の形態に係る画像符号化装置及び画像復号装置に含まれる各処理部は典型的には集積回路であるＬＳＩとして実現される。これらは個別に１チップ化されてもよいし、一部又は全てを含むように１チップ化されてもよい。
【０１３２】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０１３３】
上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１３４】
さらに、本発明は上記ソフトウェアプログラムであってもよいし、上記プログラムが記録された非一時的なコンピュータ読み取り可能な記録媒体であってもよい。また、上記プログラムは、インターネット等の伝送媒体を介して流通させることができるのは言うまでもない。
【０１３５】
また、上記で用いた数字は、全て本発明を具体的に説明するために例示するものであり、本発明は例示された数字に制限されない。
【０１３６】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０１３７】
また、上記の画像符号化方法又は画像復号方法に含まれるステップが実行される順序は、本発明を具体的に説明するために例示するためのものであり、上記以外の順序であってもよい。また、上記ステップの一部が、他のステップと同時（並列）に実行されてもよい。
【０１３８】
以上、本発明の一つまたは複数の態様に係る画像符号化装置及び画像復号装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【０１３９】
（実施の形態７）
上記各実施の形態で示した動画像符号化方法（画像符号化方法）または動画像復号化方法（画像復号方法）の構成を実現するためのプログラムを記憶メディアに記録することにより、上記各実施の形態で示した処理を独立したコンピュータシステムにおいて簡単に実施することが可能となる。記憶メディアは、磁気ディスク、光ディスク、光磁気ディスク、ＩＣカード、半導体メモリ等、プログラムを記録できるものであればよい。
【０１４０】
さらにここで、上記各実施の形態で示した動画像符号化方法（画像符号化方法）や動画像復号化方法（画像復号方法）の応用例とそれを用いたシステムを説明する。当該システムは、画像符号化方法を用いた画像符号化装置、及び画像復号方法を用いた画像復号装置からなる画像符号化復号装置を有することを特徴とする。システムにおける他の構成について、場合に応じて適切に変更することができる。
【０１４１】
図２５は、コンテンツ配信サービスを実現するコンテンツ供給システムex１００の全体構成を示す図である。通信サービスの提供エリアを所望の大きさに分割し、各セル内にそれぞれ固定無線局である基地局ex１０６、ex１０７、ex１０８、ex１０９、ex１１０が設置されている。
【０１４２】
このコンテンツ供給システムex１００は、インターネットex１０１にインターネットサービスプロバイダex１０２および電話網ex１０４、および基地局ex１０６からex１１０を介して、コンピュータex１１１、ＰＤＡ（Personal Digital Assistant）ex１１２、カメラex１１３、携帯電話ex１１４、ゲーム機ex１１５などの各機器が接続される。
【０１４３】
しかし、コンテンツ供給システムex１００は図２５のような構成に限定されず、いずれかの要素を組合せて接続するようにしてもよい。また、固定無線局である基地局ex１０６からex１１０を介さずに、各機器が電話網ex１０４に直接接続されてもよい。また、各機器が近距離無線等を介して直接相互に接続されていてもよい。
【０１４４】
カメラex１１３はデジタルビデオカメラ等の動画撮影が可能な機器であり、カメラex１１６はデジタルカメラ等の静止画撮影、動画撮影が可能な機器である。また、携帯電話ex１１４は、ＧＳＭ（登録商標）（Global System for Mobile Communications）方式、ＣＤＭＡ（Code Division Multiple Access）方式、Ｗ−ＣＤＭＡ（Wideband-Code Division Multiple Access）方式、若しくはＬＴＥ（Long Term Evolution）方式、ＨＳＰＡ(High Speed Packet Access)の携帯電話機、またはＰＨＳ（Personal Handyphone System）等であり、いずれでも構わない。
【０１４５】
コンテンツ供給システムex１００では、カメラex１１３等が基地局ex１０９、電話網ex１０４を通じてストリーミングサーバex１０３に接続されることで、ライブ配信等が可能になる。ライブ配信では、ユーザがカメラex１１３を用いて撮影するコンテンツ（例えば、音楽ライブの映像等）に対して上記各実施の形態で説明したように符号化処理を行い（即ち、本発明の一態様に係る画像符号化装置として機能する）、ストリーミングサーバex１０３に送信する。一方、ストリーミングサーバex１０３は要求のあったクライアントに対して送信されたコンテンツデータをストリーム配信する。クライアントとしては、上記符号化処理されたデータを復号化することが可能な、コンピュータex１１１、ＰＤＡex１１２、カメラex１１３、携帯電話ex１１４、ゲーム機ex１１５等がある。配信されたデータを受信した各機器では、受信したデータを復号化処理して再生する（即ち、本発明の一態様に係る画像復号装置として機能する）。
【０１４６】
なお、撮影したデータの符号化処理はカメラex１１３で行っても、データの送信処理をするストリーミングサーバex１０３で行ってもよいし、互いに分担して行ってもよい。同様に配信されたデータの復号化処理はクライアントで行っても、ストリーミングサーバex１０３で行ってもよいし、互いに分担して行ってもよい。また、カメラex１１３に限らず、カメラex１１６で撮影した静止画像および／または動画像データを、コンピュータex１１１を介してストリーミングサーバex１０３に送信してもよい。この場合の符号化処理はカメラex１１６、コンピュータex１１１、ストリーミングサーバex１０３のいずれで行ってもよいし、互いに分担して行ってもよい。
【０１４７】
また、これら符号化・復号化処理は、一般的にコンピュータex１１１や各機器が有するＬＳＩex５００において処理する。ＬＳＩex５００は、ワンチップであっても複数チップからなる構成であってもよい。なお、動画像符号化・復号化用のソフトウェアをコンピュータex１１１等で読み取り可能な何らかの記録メディア（ＣＤ−ＲＯＭ、フレキシブルディスク、ハードディスクなど）に組み込み、そのソフトウェアを用いて符号化・復号化処理を行ってもよい。さらに、携帯電話ex１１４がカメラ付きである場合には、そのカメラで取得した動画データを送信してもよい。このときの動画データは携帯電話ex１１４が有するＬＳＩex５００で符号化処理されたデータである。
【０１４８】
また、ストリーミングサーバex１０３は複数のサーバや複数のコンピュータであって、データを分散して処理したり記録したり配信するものであってもよい。
【０１４９】
以上のようにして、コンテンツ供給システムex１００では、符号化されたデータをクライアントが受信して再生することができる。このようにコンテンツ供給システムex１００では、ユーザが送信した情報をリアルタイムでクライアントが受信して復号化し、再生することができ、特別な権利や設備を有さないユーザでも個人放送を実現できる。
【０１５０】
なお、コンテンツ供給システムex１００の例に限らず、図２６に示すように、デジタル放送用システムex２００にも、上記各実施の形態の少なくとも動画像符号化装置（画像符号化装置）または動画像復号化装置（画像復号装置）のいずれかを組み込むことができる。具体的には、放送局ex２０１では映像データに音楽データなどが多重化された多重化データが電波を介して通信または衛星ex２０２に伝送される。この映像データは上記各実施の形態で説明した動画像符号化方法により符号化されたデータである（即ち、本発明の一態様に係る画像符号化装置によって符号化されたデータである）。これを受けた放送衛星ex２０２は、放送用の電波を発信し、この電波を衛星放送の受信が可能な家庭のアンテナex２０４が受信する。受信した多重化データを、テレビ（受信機）ex３００またはセットトップボックス（ＳＴＢ）ex２１７等の装置が復号化して再生する（即ち、本発明の一態様に係る画像復号装置として機能する）。
【０１５１】
また、ＤＶＤ、ＢＤ等の記録メディアex２１５に記録した多重化データを読み取り復号化する、または記録メディアex２１５に映像信号を符号化し、さらに場合によっては音楽信号と多重化して書き込むリーダ／レコーダex２１８にも上記各実施の形態で示した動画像復号化装置または動画像符号化装置を実装することが可能である。この場合、再生された映像信号はモニタex２１９に表示され、多重化データが記録された記録メディアex２１５により他の装置やシステムにおいて映像信号を再生することができる。また、ケーブルテレビ用のケーブルex２０３または衛星／地上波放送のアンテナex２０４に接続されたセットトップボックスex２１７内に動画像復号化装置を実装し、これをテレビのモニタex２１９で表示してもよい。このときセットトップボックスではなく、テレビ内に動画像復号化装置を組み込んでもよい。
【０１５２】
図２７は、上記各実施の形態で説明した動画像復号化方法および動画像符号化方法を用いたテレビ（受信機）ex３００を示す図である。テレビex３００は、上記放送を受信するアンテナex２０４またはケーブルex２０３等を介して映像データに音声データが多重化された多重化データを取得、または出力するチューナex３０１と、受信した多重化データを復調する、または外部に送信する多重化データに変調する変調／復調部ex３０２と、復調した多重化データを映像データと、音声データとに分離する、または信号処理部ex３０６で符号化された映像データ、音声データを多重化する多重／分離部ex３０３を備える。
【０１５３】
また、テレビex３００は、音声データ、映像データそれぞれを復号化する、またはそれぞれの情報を符号化する音声信号処理部ex３０４、映像信号処理部ex３０５（本発明の一態様に係る画像符号化装置または画像復号装置として機能する）を有する信号処理部ex３０６と、復号化した音声信号を出力するスピーカex３０７、復号化した映像信号を表示するディスプレイ等の表示部ex３０８を有する出力部ex３０９とを有する。さらに、テレビex３００は、ユーザ操作の入力を受け付ける操作入力部ex３１２等を有するインタフェース部ex３１７を有する。さらに、テレビex３００は、各部を統括的に制御する制御部ex３１０、各部に電力を供給する電源回路部ex３１１を有する。インタフェース部ex３１７は、操作入力部ex３１２以外に、リーダ／レコーダex２１８等の外部機器と接続されるブリッジex３１３、ＳＤカード等の記録メディアex２１６を装着可能とするためのスロット部ex３１４、ハードディスク等の外部記録メディアと接続するためのドライバex３１５、電話網と接続するモデムex３１６等を有していてもよい。なお記録メディアex２１６は、格納する不揮発性／揮発性の半導体メモリ素子により電気的に情報の記録を可能としたものである。テレビex３００の各部は同期バスを介して互いに接続されている。
【０１５４】
まず、テレビex３００がアンテナex２０４等により外部から取得した多重化データを復号化し、再生する構成について説明する。テレビex３００は、リモートコントローラex２２０等からのユーザ操作を受け、ＣＰＵ等を有する制御部ex３１０の制御に基づいて、変調／復調部ex３０２で復調した多重化データを多重／分離部ex３０３で分離する。さらにテレビex３００は、分離した音声データを音声信号処理部ex３０４で復号化し、分離した映像データを映像信号処理部ex３０５で上記各実施の形態で説明した復号化方法を用いて復号化する。復号化した音声信号、映像信号は、それぞれ出力部ex３０９から外部に向けて出力される。出力する際には、音声信号と映像信号が同期して再生するよう、バッファex３１８、ex３１９等に一旦これらの信号を蓄積するとよい。また、テレビex３００は、放送等からではなく、磁気／光ディスク、ＳＤカード等の記録メディアex２１５、ex２１６から多重化データを読み出してもよい。次に、テレビex３００が音声信号や映像信号を符号化し、外部に送信または記録メディア等に書き込む構成について説明する。テレビex３００は、リモートコントローラex２２０等からのユーザ操作を受け、制御部ex３１０の制御に基づいて、音声信号処理部ex３０４で音声信号を符号化し、映像信号処理部ex３０５で映像信号を上記各実施の形態で説明した符号化方法を用いて符号化する。符号化した音声信号、映像信号は多重／分離部ex３０３で多重化され外部に出力される。多重化する際には、音声信号と映像信号が同期するように、バッファex３２０、ex３２１等に一旦これらの信号を蓄積するとよい。なお、バッファex３１８、ex３１９、ex３２０、ex３２１は図示しているように複数備えていてもよいし、１つ以上のバッファを共有する構成であってもよい。さらに、図示している以外に、例えば変調／復調部ex３０２や多重／分離部ex３０３の間等でもシステムのオーバフロー、アンダーフローを避ける緩衝材としてバッファにデータを蓄積することとしてもよい。
【０１５５】
また、テレビex３００は、放送等や記録メディア等から音声データ、映像データを取得する以外に、マイクやカメラのＡＶ入力を受け付ける構成を備え、それらから取得したデータに対して符号化処理を行ってもよい。なお、ここではテレビex３００は上記の符号化処理、多重化、および外部出力ができる構成として説明したが、これらの処理を行うことはできず、上記受信、復号化処理、外部出力のみが可能な構成であってもよい。
【０１５６】
また、リーダ／レコーダex２１８で記録メディアから多重化データを読み出す、または書き込む場合には、上記復号化処理または符号化処理はテレビex３００、リーダ／レコーダex２１８のいずれで行ってもよいし、テレビex３００とリーダ／レコーダex２１８が互いに分担して行ってもよい。
【０１５７】
一例として、光ディスクからデータの読み込みまたは書き込みをする場合の情報再生／記録部ex４００の構成を図２８に示す。情報再生／記録部ex４００は、以下に説明する要素ex４０１、ex４０２、ex４０３、ex４０４、ex４０５、ex４０６、ex４０７を備える。光ヘッドex４０１は、光ディスクである記録メディアex２１５の記録面にレーザスポットを照射して情報を書き込み、記録メディアex２１５の記録面からの反射光を検出して情報を読み込む。変調記録部ex４０２は、光ヘッドex４０１に内蔵された半導体レーザを電気的に駆動し記録データに応じてレーザ光の変調を行う。再生復調部ex４０３は、光ヘッドex４０１に内蔵されたフォトディテクタにより記録面からの反射光を電気的に検出した再生信号を増幅し、記録メディアex２１５に記録された信号成分を分離して復調し、必要な情報を再生する。バッファex４０４は、記録メディアex２１５に記録するための情報および記録メディアex２１５から再生した情報を一時的に保持する。ディスクモータex４０５は記録メディアex２１５を回転させる。サーボ制御部ex４０６は、ディスクモータex４０５の回転駆動を制御しながら光ヘッドex４０１を所定の情報トラックに移動させ、レーザスポットの追従処理を行う。システム制御部ex４０７は、情報再生／記録部ex４００全体の制御を行う。上記の読み出しや書き込みの処理はシステム制御部ex４０７が、バッファex４０４に保持された各種情報を利用し、また必要に応じて新たな情報の生成・追加を行うと共に、変調記録部ex４０２、再生復調部ex４０３、サーボ制御部ex４０６を協調動作させながら、光ヘッドex４０１を通して、情報の記録再生を行うことにより実現される。システム制御部ex４０７は例えばマイクロプロセッサで構成され、読み出し書き込みのプログラムを実行することでそれらの処理を実行する。
【０１５８】
以上では、光ヘッドex４０１はレーザスポットを照射するとして説明したが、近接場光を用いてより高密度な記録を行う構成であってもよい。
【０１５９】
図２９に光ディスクである記録メディアex２１５の模式図を示す。記録メディアex２１５の記録面には案内溝（グルーブ）がスパイラル状に形成され、情報トラックex２３０には、予めグルーブの形状の変化によってディスク上の絶対位置を示す番地情報が記録されている。この番地情報はデータを記録する単位である記録ブロックex２３１の位置を特定するための情報を含み、記録や再生を行う装置において情報トラックex２３０を再生し番地情報を読み取ることで記録ブロックを特定することができる。また、記録メディアex２１５は、データ記録領域ex２３３、内周領域ex２３２、外周領域ex２３４を含んでいる。ユーザデータを記録するために用いる領域がデータ記録領域ex２３３であり、データ記録領域ex２３３より内周または外周に配置されている内周領域ex２３２と外周領域ex２３４は、ユーザデータの記録以外の特定用途に用いられる。情報再生／記録部ex４００は、このような記録メディアex２１５のデータ記録領域ex２３３に対して、符号化された音声データ、映像データまたはそれらのデータを多重化した多重化データの読み書きを行う。
【０１６０】
以上では、１層のＤＶＤ、ＢＤ等の光ディスクを例に挙げ説明したが、これらに限ったものではなく、多層構造であって表面以外にも記録可能な光ディスクであってもよい。また、ディスクの同じ場所にさまざまな異なる波長の色の光を用いて情報を記録したり、さまざまな角度から異なる情報の層を記録したりなど、多次元的な記録／再生を行う構造の光ディスクであってもよい。
【０１６１】
また、デジタル放送用システムex２００において、アンテナex２０５を有する車ex２１０で衛星ex２０２等からデータを受信し、車ex２１０が有するカーナビゲーションex２１１等の表示装置に動画を再生することも可能である。なお、カーナビゲーションex２１１の構成は例えば図２７に示す構成のうち、ＧＰＳ受信部を加えた構成が考えられ、同様なことがコンピュータex１１１や携帯電話ex１１４等でも考えられる。
【０１６２】
図３０Ａは、上記実施の形態で説明した動画像復号化方法および動画像符号化方法を用いた携帯電話ex１１４を示す図である。携帯電話ex１１４は、基地局ex１１０との間で電波を送受信するためのアンテナex３５０、映像、静止画を撮ることが可能なカメラ部ex３６５、カメラ部ex３６５で撮像した映像、アンテナex３５０で受信した映像等が復号化されたデータを表示する液晶ディスプレイ等の表示部ex３５８を備える。携帯電話ex１１４は、さらに、操作キー部ex３６６を有する本体部、音声を出力するためのスピーカ等である音声出力部ex３５７、音声を入力するためのマイク等である音声入力部ex３５６、撮影した映像、静止画、録音した音声、または受信した映像、静止画、メール等の符号化されたデータもしくは復号化されたデータを保存するメモリ部ex３６７、又は同様にデータを保存する記録メディアとのインタフェース部であるスロット部ex３６４を備える。
【０１６３】
さらに、携帯電話ex１１４の構成例について、図３０Ｂを用いて説明する。携帯電話ex１１４は、表示部ex３５８及び操作キー部ex３６６を備えた本体部の各部を統括的に制御する主制御部ex３６０に対して、電源回路部ex３６１、操作入力制御部ex３６２、映像信号処理部ex３５５、カメラインタフェース部ex３６３、ＬＣＤ（Liquid Crystal Display）制御部ex３５９、変調／復調部ex３５２、多重／分離部ex３５３、音声信号処理部ex３５４、スロット部ex３６４、メモリ部ex３６７がバスex３７０を介して互いに接続されている。
【０１６４】
電源回路部ex３６１は、ユーザの操作により終話及び電源キーがオン状態にされると、バッテリパックから各部に対して電力を供給することにより携帯電話ex１１４を動作可能な状態に起動する。
【０１６５】
携帯電話ex１１４は、ＣＰＵ、ＲＯＭ、ＲＡＭ等を有する主制御部ex３６０の制御に基づいて、音声通話モード時に音声入力部ex３５６で収音した音声信号を音声信号処理部ex３５４でデジタル音声信号に変換し、これを変調／復調部ex３５２でスペクトラム拡散処理し、送信／受信部ex３５１でデジタルアナログ変換処理および周波数変換処理を施した後にアンテナex３５０を介して送信する。また携帯電話ex１１４は、音声通話モード時にアンテナex３５０を介して受信した受信データを増幅して周波数変換処理およびアナログデジタル変換処理を施し、変調／復調部ex３５２でスペクトラム逆拡散処理し、音声信号処理部ex３５４でアナログ音声信号に変換した後、これを音声出力部ex３５７から出力する。
【０１６６】
さらにデータ通信モード時に電子メールを送信する場合、本体部の操作キー部ex３６６等の操作によって入力された電子メールのテキストデータは操作入力制御部ex３６２を介して主制御部ex３６０に送出される。主制御部ex３６０は、テキストデータを変調／復調部ex３５２でスペクトラム拡散処理をし、送信／受信部ex３５１でデジタルアナログ変換処理および周波数変換処理を施した後にアンテナex３５０を介して基地局ex１１０へ送信する。電子メールを受信する場合は、受信したデータに対してこのほぼ逆の処理が行われ、表示部ex３５８に出力される。
【０１６７】
データ通信モード時に映像、静止画、または映像と音声を送信する場合、映像信号処理部ex３５５は、カメラ部ex３６５から供給された映像信号を上記各実施の形態で示した動画像符号化方法によって圧縮符号化し（即ち、本発明の一態様に係る画像符号化装置として機能する）、符号化された映像データを多重／分離部ex３５３に送出する。また、音声信号処理部ex３５４は、映像、静止画等をカメラ部ex３６５で撮像中に音声入力部ex３５６で収音した音声信号を符号化し、符号化された音声データを多重／分離部ex３５３に送出する。
【０１６８】
多重／分離部ex３５３は、映像信号処理部ex３５５から供給された符号化された映像データと音声信号処理部ex３５４から供給された符号化された音声データを所定の方式で多重化し、その結果得られる多重化データを変調／復調部（変調／復調回路部）ex３５２でスペクトラム拡散処理をし、送信／受信部ex３５１でデジタルアナログ変換処理及び周波数変換処理を施した後にアンテナex３５０を介して送信する。
【０１６９】
データ通信モード時にホームページ等にリンクされた動画像ファイルのデータを受信する場合、または映像およびもしくは音声が添付された電子メールを受信する場合、アンテナex３５０を介して受信された多重化データを復号化するために、多重／分離部ex３５３は、多重化データを分離することにより映像データのビットストリームと音声データのビットストリームとに分け、同期バスex３７０を介して符号化された映像データを映像信号処理部ex３５５に供給するとともに、符号化された音声データを音声信号処理部ex３５４に供給する。映像信号処理部ex３５５は、上記各実施の形態で示した動画像符号化方法に対応した動画像復号化方法によって復号化することにより映像信号を復号し（即ち、本発明の一態様に係る画像復号装置として機能する）、ＬＣＤ制御部ex３５９を介して表示部ex３５８から、例えばホームページにリンクされた動画像ファイルに含まれる映像、静止画が表示される。また音声信号処理部ex３５４は、音声信号を復号し、音声出力部ex３５７から音声が出力される。
【０１７０】
また、上記携帯電話ex１１４等の端末は、テレビex３００と同様に、符号化器・復号化器を両方持つ送受信型端末の他に、符号化器のみの送信端末、復号化器のみの受信端末という３通りの実装形式が考えられる。さらに、デジタル放送用システムex２００において、映像データに音楽データなどが多重化された多重化データを受信、送信するとして説明したが、音声データ以外に映像に関連する文字データなどが多重化されたデータであってもよいし、多重化データではなく映像データ自体であってもよい。
【０１７１】
このように、上記各実施の形態で示した動画像符号化方法あるいは動画像復号化方法を上述したいずれの機器・システムに用いることは可能であり、そうすることで、上記各実施の形態で説明した効果を得ることができる。
【０１７２】
また、本発明はかかる上記実施の形態に限定されるものではなく、本発明の範囲を逸脱することなく種々の変形または修正が可能である。
【０１７３】
（実施の形態８）
上記各実施の形態で示した動画像符号化方法または装置と、ＭＰＥＧ−２、ＭＰＥＧ４−ＡＶＣ、ＶＣ−１など異なる規格に準拠した動画像符号化方法または装置とを、必要に応じて適宜切替えることにより、映像データを生成することも可能である。
【０１７４】
ここで、それぞれ異なる規格に準拠する複数の映像データを生成した場合、復号する際に、それぞれの規格に対応した復号方法を選択する必要がある。しかしながら、復号する映像データが、どの規格に準拠するものであるか識別できないため、適切な復号方法を選択することができないという課題を生じる。
【０１７５】
この課題を解決するために、映像データに音声データなどを多重化した多重化データは、映像データがどの規格に準拠するものであるかを示す識別情報を含む構成とする。上記各実施の形態で示す動画像符号化方法または装置によって生成された映像データを含む多重化データの具体的な構成を以下説明する。多重化データは、ＭＰＥＧ−２トランスポートストリーム形式のデジタルストリームである。
【０１７６】
図３１は、多重化データの構成を示す図である。図３１に示すように多重化データは、ビデオストリーム、オーディオストリーム、プレゼンテーショングラフィックスストリーム（ＰＧ）、インタラクティブグラフィックスストリームのうち、１つ以上を多重化することで得られる。ビデオストリームは映画の主映像および副映像を、オーディオストリーム（ＩＧ）は映画の主音声部分とその主音声とミキシングする副音声を、プレゼンテーショングラフィックスストリームは、映画の字幕をそれぞれ示している。ここで主映像とは画面に表示される通常の映像を示し、副映像とは主映像の中に小さな画面で表示する映像のことである。また、インタラクティブグラフィックスストリームは、画面上にＧＵＩ部品を配置することにより作成される対話画面を示している。ビデオストリームは、上記各実施の形態で示した動画像符号化方法または装置、従来のＭＰＥＧ−２、ＭＰＥＧ４−ＡＶＣ、ＶＣ−１などの規格に準拠した動画像符号化方法または装置によって符号化されている。オーディオストリームは、ドルビーＡＣ−３、Ｄｏｌｂｙ  Ｄｉｇｉｔａｌ  Ｐｌｕｓ、ＭＬＰ、ＤＴＳ、ＤＴＳ−ＨＤ、または、リニアＰＣＭのなどの方式で符号化されている。
【０１７７】
多重化データに含まれる各ストリームはＰＩＤによって識別される。例えば、映画の映像に利用するビデオストリームには０ｘ１０１１が、オーディオストリームには０ｘ１１００から０ｘ１１１Ｆまでが、プレゼンテーショングラフィックスには０ｘ１２００から０ｘ１２１Ｆまでが、インタラクティブグラフィックスストリームには０ｘ１４００から０ｘ１４１Ｆまでが、映画の副映像に利用するビデオストリームには０ｘ１Ｂ００から０ｘ１Ｂ１Ｆまで、主音声とミキシングする副音声に利用するオーディオストリームには０ｘ１Ａ００から０ｘ１Ａ１Ｆが、それぞれ割り当てられている。
【０１７８】
図３２は、多重化データがどのように多重化されるかを模式的に示す図である。まず、複数のビデオフレームからなるビデオストリームex２３５、複数のオーディオフレームからなるオーディオストリームex２３８を、それぞれＰＥＳパケット列ex２３６およびex２３９に変換し、ＴＳパケットex２３７およびex２４０に変換する。同じくプレゼンテーショングラフィックスストリームex２４１およびインタラクティブグラフィックスex２４４のデータをそれぞれＰＥＳパケット列ex２４２およびex２４５に変換し、さらにＴＳパケットex２４３およびex２４６に変換する。多重化データex２４７はこれらのＴＳパケットを１本のストリームに多重化することで構成される。
【０１７９】
図３３は、ＰＥＳパケット列に、ビデオストリームがどのように格納されるかをさらに詳しく示している。図３３における第１段目はビデオストリームのビデオフレーム列を示す。第２段目は、ＰＥＳパケット列を示す。図３３の矢印ｙｙ１，ｙｙ２，ｙｙ３，ｙｙ４に示すように、ビデオストリームにおける複数のＶｉｄｅｏ  Ｐｒｅｓｅｎｔａｔｉｏｎ  ＵｎｉｔであるＩピクチャ、Ｂピクチャ、Ｐピクチャは、ピクチャ毎に分割され、ＰＥＳパケットのペイロードに格納される。各ＰＥＳパケットはＰＥＳヘッダを持ち、ＰＥＳヘッダには、ピクチャの表示時刻であるＰＴＳ（Ｐｒｅｓｅｎｔａｔｉｏｎ  Ｔｉｍｅ−Ｓｔａｍｐ）やピクチャの復号時刻であるＤＴＳ（Ｄｅｃｏｄｉｎｇ  Ｔｉｍｅ−Ｓｔａｍｐ）が格納される。
【０１８０】
図３４は、多重化データに最終的に書き込まれるＴＳパケットの形式を示している。ＴＳパケットは、ストリームを識別するＰＩＤなどの情報を持つ４ＢｙｔｅのＴＳヘッダとデータを格納する１８４ＢｙｔｅのＴＳペイロードから構成される１８８Ｂｙｔｅ固定長のパケットであり、上記ＰＥＳパケットは分割されＴＳペイロードに格納される。ＢＤ−ＲＯＭの場合、ＴＳパケットには、４ＢｙｔｅのＴＰ＿Ｅｘｔｒａ＿Ｈｅａｄｅｒが付与され、１９２Ｂｙｔｅのソースパケットを構成し、多重化データに書き込まれる。ＴＰ＿Ｅｘｔｒａ＿ＨｅａｄｅｒにはＡＴＳ（Ａｒｒｉｖａｌ＿Ｔｉｍｅ＿Ｓｔａｍｐ）などの情報が記載される。ＡＴＳは当該ＴＳパケットのデコーダのＰＩＤフィルタへの転送開始時刻を示す。多重化データには図３４下段に示すようにソースパケットが並ぶこととなり、多重化データの先頭からインクリメントする番号はＳＰＮ（ソースパケットナンバー）と呼ばれる。
【０１８１】
また、多重化データに含まれるＴＳパケットには、映像・音声・字幕などの各ストリーム以外にもＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＰＣＲ（Ｐｒｏｇｒａｍ  Ｃｌｏｃｋ  Ｒｅｆｅｒｅｎｃｅ）などがある。ＰＡＴは多重化データ中に利用されるＰＭＴのＰＩＤが何であるかを示し、ＰＡＴ自身のＰＩＤは０で登録される。ＰＭＴは、多重化データ中に含まれる映像・音声・字幕などの各ストリームのＰＩＤと各ＰＩＤに対応するストリームの属性情報を持ち、また多重化データに関する各種ディスクリプタを持つ。ディスクリプタには多重化データのコピーを許可・不許可を指示するコピーコントロール情報などがある。ＰＣＲは、ＡＴＳの時間軸であるＡＴＣ（Ａｒｒｉｖａｌ  Ｔｉｍｅ  Ｃｌｏｃｋ）とＰＴＳ・ＤＴＳの時間軸であるＳＴＣ（Ｓｙｓｔｅｍ  Ｔｉｍｅ  Ｃｌｏｃｋ）の同期を取るために、そのＰＣＲパケットがデコーダに転送されるＡＴＳに対応するＳＴＣ時間の情報を持つ。
【０１８２】
図３５はＰＭＴのデータ構造を詳しく説明する図である。ＰＭＴの先頭には、そのＰＭＴに含まれるデータの長さなどを記したＰＭＴヘッダが配置される。その後ろには、多重化データに関するディスクリプタが複数配置される。上記コピーコントロール情報などが、ディスクリプタとして記載される。ディスクリプタの後には、多重化データに含まれる各ストリームに関するストリーム情報が複数配置される。ストリーム情報は、ストリームの圧縮コーデックなどを識別するためストリームタイプ、ストリームのＰＩＤ、ストリームの属性情報（フレームレート、アスペクト比など）が記載されたストリームディスクリプタから構成される。ストリームディスクリプタは多重化データに存在するストリームの数だけ存在する。
【０１８３】
記録媒体などに記録する場合には、上記多重化データは、多重化データ情報ファイルと共に記録される。
【０１８４】
多重化データ情報ファイルは、図３６に示すように多重化データの管理情報であり、多重化データと１対１に対応し、多重化データ情報、ストリーム属性情報とエントリマップから構成される。
【０１８５】
多重化データ情報は図３６に示すようにシステムレート、再生開始時刻、再生終了時刻から構成されている。システムレートは多重化データの、後述するシステムターゲットデコーダのＰＩＤフィルタへの最大転送レートを示す。多重化データ中に含まれるＡＴＳの間隔はシステムレート以下になるように設定されている。再生開始時刻は多重化データの先頭のビデオフレームのＰＴＳであり、再生終了時刻は多重化データの終端のビデオフレームのＰＴＳに１フレーム分の再生間隔を足したものが設定される。
【０１８６】
ストリーム属性情報は図３７に示すように、多重化データに含まれる各ストリームについての属性情報が、ＰＩＤ毎に登録される。属性情報はビデオストリーム、オーディオストリーム、プレゼンテーショングラフィックスストリーム、インタラクティブグラフィックスストリーム毎に異なる情報を持つ。ビデオストリーム属性情報は、そのビデオストリームがどのような圧縮コーデックで圧縮されたか、ビデオストリームを構成する個々のピクチャデータの解像度がどれだけであるか、アスペクト比はどれだけであるか、フレームレートはどれだけであるかなどの情報を持つ。オーディオストリーム属性情報は、そのオーディオストリームがどのような圧縮コーデックで圧縮されたか、そのオーディオストリームに含まれるチャンネル数は何であるか、何の言語に対応するか、サンプリング周波数がどれだけであるかなどの情報を持つ。これらの情報は、プレーヤが再生する前のデコーダの初期化などに利用される。
【０１８７】
本実施の形態においては、上記多重化データのうち、ＰＭＴに含まれるストリームタイプを利用する。また、記録媒体に多重化データが記録されている場合には、多重化データ情報に含まれる、ビデオストリーム属性情報を利用する。具体的には、上記各実施の形態で示した動画像符号化方法または装置において、ＰＭＴに含まれるストリームタイプ、または、ビデオストリーム属性情報に対し、上記各実施の形態で示した動画像符号化方法または装置によって生成された映像データであることを示す固有の情報を設定するステップまたは手段を設ける。この構成により、上記各実施の形態で示した動画像符号化方法または装置によって生成した映像データと、他の規格に準拠する映像データとを識別することが可能になる。
【０１８８】
また、本実施の形態における動画像復号化方法のステップを図３８に示す。ステップexＳ１００において、多重化データからＰＭＴに含まれるストリームタイプ、または、多重化データ情報に含まれるビデオストリーム属性情報を取得する。次に、ステップexＳ１０１において、ストリームタイプ、または、ビデオストリーム属性情報が上記各実施の形態で示した動画像符号化方法または装置によって生成された多重化データであることを示しているか否かを判断する。そして、ストリームタイプ、または、ビデオストリーム属性情報が上記各実施の形態で示した動画像符号化方法または装置によって生成されたものであると判断された場合には、ステップexＳ１０２において、上記各実施の形態で示した動画像復号方法により復号を行う。また、ストリームタイプ、または、ビデオストリーム属性情報が、従来のＭＰＥＧ−２、ＭＰＥＧ４−ＡＶＣ、ＶＣ−１などの規格に準拠するものであることを示している場合には、ステップexＳ１０３において、従来の規格に準拠した動画像復号方法により復号を行う。
【０１８９】
このように、ストリームタイプ、または、ビデオストリーム属性情報に新たな固有値を設定することにより、復号する際に、上記各実施の形態で示した動画像復号化方法または装置で復号可能であるかを判断することができる。従って、異なる規格に準拠する多重化データが入力された場合であっても、適切な復号化方法または装置を選択することができるため、エラーを生じることなく復号することが可能となる。また、本実施の形態で示した動画像符号化方法または装置、または、動画像復号方法または装置を、上述したいずれの機器・システムに用いることも可能である。
【０１９０】
（実施の形態９）
上記各実施の形態で示した動画像符号化方法および装置、動画像復号化方法および装置は、典型的には集積回路であるＬＳＩで実現される。一例として、図３９に１チップ化されたＬＳＩex５００の構成を示す。ＬＳＩex５００は、以下に説明する要素ex５０１、ex５０２、ex５０３、ex５０４、ex５０５、ex５０６、ex５０７、ex５０８、ex５０９を備え、各要素はバスex５１０を介して接続している。電源回路部ex５０５は電源がオン状態の場合に各部に対して電力を供給することで動作可能な状態に起動する。
【０１９１】
例えば符号化処理を行う場合には、ＬＳＩex５００は、ＣＰＵex５０２、メモリコントローラex５０３、ストリームコントローラex５０４、駆動周波数制御部ex５１２等を有する制御部ex５０１の制御に基づいて、ＡＶ  Ｉ／Ｏex５０９によりマイクex１１７やカメラex１１３等からＡＶ信号を入力する。入力されたＡＶ信号は、一旦ＳＤＲＡＭ等の外部のメモリex５１１に蓄積される。制御部ex５０１の制御に基づいて、蓄積したデータは処理量や処理速度に応じて適宜複数回に分けるなどされ信号処理部ex５０７に送られ、信号処理部ex５０７において音声信号の符号化および／または映像信号の符号化が行われる。ここで映像信号の符号化処理は上記各実施の形態で説明した符号化処理である。信号処理部ex５０７ではさらに、場合により符号化された音声データと符号化された映像データを多重化するなどの処理を行い、ストリームＩ／Ｏex５０６から外部に出力する。この出力された多重化データは、基地局ex１０７に向けて送信されたり、または記録メディアex２１５に書き込まれたりする。なお、多重化する際には同期するよう、一旦バッファex５０８にデータを蓄積するとよい。
【０１９２】
なお、上記では、メモリex５１１がＬＳＩex５００の外部の構成として説明したが、ＬＳＩex５００の内部に含まれる構成であってもよい。バッファex５０８も１つに限ったものではなく、複数のバッファを備えていてもよい。また、ＬＳＩex５００は１チップ化されてもよいし、複数チップ化されてもよい。
【０１９３】
また、上記では、制御部ex５０１が、ＣＰＵex５０２、メモリコントローラex５０３、ストリームコントローラex５０４、駆動周波数制御部ex５１２等を有するとしているが、制御部ex５０１の構成は、この構成に限らない。例えば、信号処理部ex５０７がさらにＣＰＵを備える構成であってもよい。信号処理部ex５０７の内部にもＣＰＵを設けることにより、処理速度をより向上させることが可能になる。また、他の例として、ＣＰＵex５０２が信号処理部ex５０７、または信号処理部ex５０７の一部である例えば音声信号処理部を備える構成であってもよい。このような場合には、制御部ex５０１は、信号処理部ex５０７、またはその一部を有するＣＰＵex５０２を備える構成となる。
【０１９４】
なお、ここでは、ＬＳＩとしたが、集積度の違いにより、ＩＣ、システムＬＳＩ、スーパーＬＳＩ、ウルトラＬＳＩと呼称されることもある。
【０１９５】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。このようなプログラマブル・ロジック・デバイスは、典型的には、ソフトウェア又はファームウェアを構成するプログラムを、ロードする又はメモリ等から読み込むことで、上記各実施の形態で示した動画像符号化方法、又は動画像復号化方法を実行することができる。
【０１９６】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０１９７】
（実施の形態１０）
上記各実施の形態で示した動画像符号化方法または装置によって生成された映像データを復号する場合、従来のＭＰＥＧ−２、ＭＰＥＧ４−ＡＶＣ、ＶＣ−１などの規格に準拠する映像データを復号する場合に比べ、処理量が増加することが考えられる。そのため、ＬＳＩex５００において、従来の規格に準拠する映像データを復号する際のＣＰＵex５０２の駆動周波数よりも高い駆動周波数に設定する必要がある。しかし、駆動周波数を高くすると、消費電力が高くなるという課題が生じる。
【０１９８】
この課題を解決するために、テレビex３００、ＬＳＩex５００などの動画像復号化装置は、映像データがどの規格に準拠するものであるかを識別し、規格に応じて駆動周波数を切替える構成とする。図４０は、本実施の形態における構成ex８００を示している。駆動周波数切替え部ex８０３は、映像データが、上記各実施の形態で示した動画像符号化方法または装置によって生成されたものである場合には、駆動周波数を高く設定する。そして、上記各実施の形態で示した動画像復号化方法を実行する復号処理部ex８０１に対し、映像データを復号するよう指示する。一方、映像データが、従来の規格に準拠する映像データである場合には、映像データが、上記各実施の形態で示した動画像符号化方法または装置によって生成されたものである場合に比べ、駆動周波数を低く設定する。そして、従来の規格に準拠する復号処理部ex８０２に対し、映像データを復号するよう指示する。
【０１９９】
より具体的には、駆動周波数切替え部ex８０３は、図３９のＣＰＵex５０２と駆動周波数制御部ex５１２から構成される。また、上記各実施の形態で示した動画像復号化方法を実行する復号処理部ex８０１、および、従来の規格に準拠する復号処理部ex８０２は、図３９の信号処理部ex５０７に該当する。ＣＰＵex５０２は、映像データがどの規格に準拠するものであるかを識別する。そして、ＣＰＵex５０２からの信号に基づいて、駆動周波数制御部ex５１２は、駆動周波数を設定する。また、ＣＰＵex５０２からの信号に基づいて、信号処理部ex５０７は、映像データの復号を行う。ここで、映像データの識別には、例えば、実施の形態８で記載した識別情報を利用することが考えられる。識別情報に関しては、実施の形態８で記載したものに限られず、映像データがどの規格に準拠するか識別できる情報であればよい。例えば、映像データがテレビに利用されるものであるか、ディスクに利用されるものであるかなどを識別する外部信号に基づいて、映像データがどの規格に準拠するものであるか識別可能である場合には、このような外部信号に基づいて識別してもよい。また、ＣＰＵex５０２における駆動周波数の選択は、例えば、図４２のような映像データの規格と、駆動周波数とを対応付けたルックアップテーブルに基づいて行うことが考えられる。ルックアップテーブルを、バッファex５０８や、ＬＳＩの内部メモリに格納しておき、ＣＰＵex５０２がこのルックアップテーブルを参照することにより、駆動周波数を選択することが可能である。
【０２００】
図４１は、本実施の形態の方法を実施するステップを示している。まず、ステップexＳ２００では、信号処理部ex５０７において、多重化データから識別情報を取得する。次に、ステップexＳ２０１では、ＣＰＵex５０２において、識別情報に基づいて映像データが上記各実施の形態で示した符号化方法または装置によって生成されたものであるか否かを識別する。映像データが上記各実施の形態で示した符号化方法または装置によって生成されたものである場合には、ステップexＳ２０２において、駆動周波数を高く設定する信号を、ＣＰＵex５０２が駆動周波数制御部ex５１２に送る。そして、駆動周波数制御部ex５１２において、高い駆動周波数に設定される。一方、従来のＭＰＥＧ−２、ＭＰＥＧ４−ＡＶＣ、ＶＣ−１などの規格に準拠する映像データであることを示している場合には、ステップexＳ２０３において、駆動周波数を低く設定する信号を、ＣＰＵex５０２が駆動周波数制御部ex５１２に送る。そして、駆動周波数制御部ex５１２において、映像データが上記各実施の形態で示した符号化方法または装置によって生成されたものである場合に比べ、低い駆動周波数に設定される。
【０２０１】
さらに、駆動周波数の切替えに連動して、ＬＳＩex５００またはＬＳＩex５００を含む装置に与える電圧を変更することにより、省電力効果をより高めることが可能である。例えば、駆動周波数を低く設定する場合には、これに伴い、駆動周波数を高く設定している場合に比べ、ＬＳＩex５００またはＬＳＩex５００を含む装置に与える電圧を低く設定することが考えられる。
【０２０２】
また、駆動周波数の設定方法は、復号する際の処理量が大きい場合に、駆動周波数を高く設定し、復号する際の処理量が小さい場合に、駆動周波数を低く設定すればよく、上述した設定方法に限らない。例えば、ＭＰＥＧ４−ＡＶＣ規格に準拠する映像データを復号する処理量の方が、上記各実施の形態で示した動画像符号化方法または装置により生成された映像データを復号する処理量よりも大きい場合には、駆動周波数の設定を上述した場合の逆にすることが考えられる。
【０２０３】
さらに、駆動周波数の設定方法は、駆動周波数を低くする構成に限らない。例えば、識別情報が、上記各実施の形態で示した動画像符号化方法または装置によって生成された映像データであることを示している場合には、ＬＳＩex５００またはＬＳＩex５００を含む装置に与える電圧を高く設定し、従来のＭＰＥＧ−２、ＭＰＥＧ４−ＡＶＣ、ＶＣ−１などの規格に準拠する映像データであることを示している場合には、ＬＳＩex５００またはＬＳＩex５００を含む装置に与える電圧を低く設定することも考えられる。また、他の例としては、識別情報が、上記各実施の形態で示した動画像符号化方法または装置によって生成された映像データであることを示している場合には、ＣＰＵex５０２の駆動を停止させることなく、従来のＭＰＥＧ−２、ＭＰＥＧ４−ＡＶＣ、ＶＣ−１などの規格に準拠する映像データであることを示している場合には、処理に余裕があるため、ＣＰＵex５０２の駆動を一時停止させることも考えられる。識別情報が、上記各実施の形態で示した動画像符号化方法または装置によって生成された映像データであることを示している場合であっても、処理に余裕があれば、ＣＰＵex５０２の駆動を一時停止させることも考えられる。この場合は、従来のＭＰＥＧ−２、ＭＰＥＧ４−ＡＶＣ、ＶＣ−１などの規格に準拠する映像データであることを示している場合に比べて、停止時間を短く設定することが考えられる。
【０２０４】
このように、映像データが準拠する規格に応じて、駆動周波数を切替えることにより、省電力化を図ることが可能になる。また、電池を用いてＬＳＩex５００またはＬＳＩex５００を含む装置を駆動している場合には、省電力化に伴い、電池の寿命を長くすることが可能である。
【０２０５】
（実施の形態１１）
テレビや、携帯電話など、上述した機器・システムには、異なる規格に準拠する複数の映像データが入力される場合がある。このように、異なる規格に準拠する複数の映像データが入力された場合にも復号できるようにするために、ＬＳＩex５００の信号処理部ex５０７が複数の規格に対応している必要がある。しかし、それぞれの規格に対応する信号処理部ex５０７を個別に用いると、ＬＳＩex５００の回路規模が大きくなり、また、コストが増加するという課題が生じる。
【０２０６】
この課題を解決するために、上記各実施の形態で示した動画像復号方法を実行するための復号処理部と、従来のＭＰＥＧ−２、ＭＰＥＧ４−ＡＶＣ、ＶＣ−１などの規格に準拠する復号処理部とを一部共有化する構成とする。この構成例を図４３Ａのex９００に示す。例えば、上記各実施の形態で示した動画像復号方法と、ＭＰＥＧ４−ＡＶＣ規格に準拠する動画像復号方法とは、エントロピー符号化、逆量子化、デブロッキング・フィルタ、動き補償などの処理において処理内容が一部共通する。共通する処理内容については、ＭＰＥＧ４−ＡＶＣ規格に対応する復号処理部ex９０２を共有し、ＭＰＥＧ４−ＡＶＣ規格に対応しない、本発明の一態様に特有の他の処理内容については、専用の復号処理部ex９０１を用いるという構成が考えられる。特に、本発明の一態様は、エントロピー復号に特徴を有していることから、例えば、エントロピー復号については専用の復号処理部ex９０１を用い、それ以外の逆量子化、デブロッキング・フィルタ、動き補償のいずれか、または、全ての処理については、復号処理部を共有することが考えられる。復号処理部の共有化に関しては、共通する処理内容については、上記各実施の形態で示した動画像復号化方法を実行するための復号処理部を共有し、ＭＰＥＧ４−ＡＶＣ規格に特有の処理内容については、専用の復号処理部を用いる構成であってもよい。
【０２０７】
また、処理を一部共有化する他の例を図４３Ｂのex１０００に示す。この例では、本発明の一態様に特有の処理内容に対応した専用の復号処理部ex１００１と、他の従来規格に特有の処理内容に対応した専用の復号処理部ex１００２と、本発明の一態様に係る動画像復号方法と他の従来規格の動画像復号方法とに共通する処理内容に対応した共用の復号処理部ex１００３とを用いる構成としている。ここで、専用の復号処理部ex１００１、ex１００２は、必ずしも本発明の一態様、または、他の従来規格に特有の処理内容に特化したものではなく、他の汎用処理を実行できるものであってもよい。また、本実施の形態の構成を、ＬＳＩex５００で実装することも可能である。
【０２０８】
このように、本発明の一態様に係る動画像復号方法と、従来の規格の動画像復号方法とで共通する処理内容について、復号処理部を共有することにより、ＬＳＩの回路規模を小さくし、かつ、コストを低減することが可能である。
【産業上の利用可能性】
【０２０９】
本発明は、画像符号化方法、画像復号方法、画像符号化装置及び画像復号装置にて適用できる。また、本発明は、データの蓄積、伝送、通信など様々な用途に利用可能である。例えば、本発明は、テレビ、デジタルビデオレコーダ、カーナビゲーションシステム、携帯電話、デジタルスチルカメラ及びデジタルビデオカメラ等の情報表示機器及び撮像機器に利用可能である。
【符号の説明】
【０２１０】
２００  画像符号化装置
２０５  減算器
２１０  変換・量子化部
２２０  エントロピー符号化部
２３０、４２０  逆量子化・逆変換部
２３５、４２５  加算器
２４０、４３０  デブロッキングフィルタ
２５０、４４０  メモリ
２６０、４５０  イントラ予測部
２７０  動き検出部
２８０、４６０  動き補償部
２９０、４７０  イントラ／インター切換スイッチ
４００  画像復号装置
４１０  エントロピー復号部
【図１】
0006048941.tif 000002
【図２】
0006048941.tif 000003
【図３】
0006048941.tif 000004
【図４】
0006048941.tif 000005
【図５】
0006048941.tif 000006
【図６】
0006048941.tif 000007
【図７】
0006048941.tif 000008
【図８】
0006048941.tif 000009
【図９】
0006048941.tif 000010
【図１０】
0006048941.tif 000011
【図１１】
0006048941.tif 000012
【図１２】
0006048941.tif 000013
【図１３】
0006048941.tif 000014
【図１４】
0006048941.tif 000015
【図１５】
0006048941.tif 000016
【図１６】
0006048941.tif 000017
【図１７】
0006048941.tif 000018
【図１８】
0006048941.tif 000019
【図１９Ａ】
0006048941.tif 000020
【図１９Ｂ】
0006048941.tif 000021
【図１９Ｃ】
0006048941.tif 000022
【図１９Ｄ】
0006048941.tif 000023
【図２０Ａ】
0006048941.tif 000024
【図２０Ｂ】
0006048941.tif 000025
【図２１】
0006048941.tif 000026
【図２２】
0006048941.tif 000027
【図２３】
0006048941.tif 000028
【図２４】
0006048941.tif 000029
【図２５】
0006048941.tif 000030
【図２６】
0006048941.tif 000031
【図２７】
0006048941.tif 000032
【図２８】
0006048941.tif 000033
【図２９】
0006048941.tif 000034
【図３０Ａ】
0006048941.tif 000035
【図３０Ｂ】
0006048941.tif 000036
【図３１】
0006048941.tif 000037
【図３２】
0006048941.tif 000038
【図３３】
0006048941.tif 000039
【図３４】
0006048941.tif 000040
【図３５】
0006048941.tif 000041
【図３６】
0006048941.tif 000042
【図３７】
0006048941.tif 000043
【図３８】
0006048941.tif 000044
【図３９】
0006048941.tif 000045
【図４０】
0006048941.tif 000046
【図４１】
0006048941.tif 000047
【図４２】
0006048941.tif 000048
【図４３Ａ】
0006048941.tif 000049
【図４３Ｂ】
0006048941.tif 000050